(57)【要約】【課題】携帯端末等との通信をするために、携帯端末等をリーダ・ライタ部にかざすためのスペースを確実に確保することができる遊技用装置を提供する。【解決手段】遊技媒体を用いて所定の遊技を行う遊技機に併設される遊技用装置４であって、遊技機の前方に突出するアーム２５０を有し、アーム２５０に機能部５０、６０、７０が設けられている。機能部は、非接触にて記録媒体を読み取るための読取部５０であってもよく、遊技者が利用するものを保持する保持部であってもよい。アームには関連機器３５が設けられ、この関連機器に機能部５０、６０、７０が設けられていてもよい。また、この関連機器は、遊技機の前面に連結されていてもよい。【選択図】図６
2015107206.tif 000002
【特許請求の範囲】
【請求項１】
遊技媒体を用いて所定の遊技を行う遊技機に併設される遊技用装置であって、
前記遊技機の前方に突出するアームを有し、
前記アームに機能部が設けられていることを特徴とする遊技用装置。
【発明の詳細な説明】
【技術分野】
【０００１】
本発明は、パチンコ遊技機等の遊技機に併設される遊技用装置に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球といった景品遊技媒体が遊技者に払い出されるものがある。さらに、所定の入賞領域に遊技媒体が入賞する（始動条件が成立する）と識別情報を可変表示（「変動」ともいう）可能な可変表示装置が設けられ、可変表示装置において識別情報の可変表示の表示結果が特定表示結果（大当り図柄）となった場合に遊技者にとって有利な特定遊技状態（大当り遊技状態）に制御可能になるように構成されたものがある。
【０００３】
このような遊技機に併設される遊技用装置として、遊技者が保有する携帯端末や、ＩＣカード等に搭載された非接触型ＩＣチップとの間で通信するためのリーダ・ライタ部が設けられたものが知られている。遊技者は、携帯端末等をリーダ・ライタ部にかざすことにより、遊技しようとする遊技機の情報を得たり、獲得した景品遊技媒体を遊技施設に預けたりすることができる。特許文献１は、遊技機の左側であり、隣接する遊技機間に設けられたカードユニットに設けられたリーダ・ライタ部を開示している。
【先行技術文献】
【特許文献】
【０００４】
【特許文献１】特開２０１１−１２０６２９号公報
【発明の概要】
【発明が解決しようとする課題】
【０００５】
特許文献１に開示されたリーダ・ライタ部を有するカードユニットを設置した場合、携帯端末等をリーダ・ライタ部にかざすためのスペースを確保できない等の理由により、隣席との間に設置する分煙ボードが設置できない場合があった。また、意匠上の観点から、右側、あるいは左側を膨出させた遊技機において、携帯端末等をかざすためのスペースを確保できないという問題から、カードユニットとの併設が困難となる場合があった。
【０００６】
そこで、本発明は、携帯端末等との通信をするために、携帯端末等をリーダ・ライタ部にかざすためのスペースを確実に確保することができる遊技用装置を提供することを目的とする。
【課題を解決するための手段】
【０００７】
（１）上記目的を達成するため、本願に係る遊技用装置は、
遊技媒体を用いて所定の遊技を行う遊技機（例えば、パチンコ遊技機１、１０１）に併設される遊技用装置（例えば、玉受け皿ユニット４、４ａ、４ｂ、及び表示用ユニット１５０、１５０Ａ、１５０Ｂ）であって、
前記遊技機の前方に突出するアーム（例えば、アーム１６０、アーム部２５０）を有し、
前記アームに機能部（例えば、リーダ・ライタ部５０、１８７、操作ボタン６０、１８５、デジタル表示機７０、１８６、ドリンクホルダ５６、１８８、及びブックホルダ５１、１８９）が設けられていることを特徴とする。
【０００８】
このような構成によれば、機能部周辺に十分なスペースを確保することができる。これにより、機能部周辺のスペース不足によって、機能部がその機能を発揮できないという状況を防ぐことができる。
【０００９】
（２）上記（１）の遊技用装置において、
前記機能部は、非接触にて記録媒体を読み取るための読取部（例えば、リーダ・ライタ部５０、１８７）であることを特徴とする。
【００１０】
このような構成によれば、読取部周辺に十分なスペースを確保することができる。これにより、記録媒体を読取部近傍に近づけることができるため、記録媒体を確実に読み取ることができる。
【００１１】
（３）上記（１）の遊技用装置において、
前記機能部は、遊技者が利用するものを保持する保持部（ドリンクホルダ５６、１８８、及びブックホルダ５１、１８９）であることを特徴とする。
【００１２】
このような構成によれば、保持部周辺に十分なスペースを確保することができる。これにより、遊技者が利用するものを保持部に確実に保持させることができる。
【００１３】
（４）上記（１）〜（３）の何れかの遊技用装置において、
前記アームには関連機器（例えば、玉受け皿部３５、及び表示部１５４）が設けられ、該関連機器に前記機能部が設けられていることを特徴とする。
【００１４】
このような構成によれば、機能部周辺に十分なスペースを確保することができる。これにより、機能部周辺のスペース不足によって、機能部がその機能を発揮できないという状況を防止することができる。
【００１５】
（５）上記（４）の遊技用装置において、
前記関連機器（例えば、表示部１５４）は、前記遊技機（例えば、パチンコ遊技機１０１（の一部を構成する下部前面枠１０３Ｂ））の前面に連結されていることを特徴とする。
【００１６】
このような構成によれば、周辺に十分なスペースを確保した機能部を遊技機に強固に固定することができる。これにより、機能部の機能を確実に発揮させることができる。
【００１７】
（６）上記（４）又は（５）の遊技用装置において、
前記関連機器は、遊技媒体を計数するために、該遊技媒体を受け入れて一時的に貯留する遊技媒体受け皿ユニット（例えば、玉受け皿部３５）であることを特徴とする。
【００１８】
このような構成によれば、遊技媒体受け皿ユニットに設けられた機能部の周辺に十分なスペースを確保することができる。これにより、機能部周辺のスペース不足によって、機能部がその機能を発揮できないという状況を防ぐことができる。
【００１９】
（７）上記（４）又は（５）の遊技用装置において、
前記関連機器は、液晶表示パネルを有する表示用ユニット（例えば、表示部１５４）であることを特徴とする。
【００２０】
このような構成によれば、表示用ユニットに設けられた機能部の周辺に十分なスペースを確保することができる。これにより、機能部周辺のスペース不足によって、機能部がその機能を発揮できないという状況を防ぐことができる。
【００２１】
（８）上記（６）の遊技用装置において、
前記遊技媒体受け皿ユニットには、計数した遊技媒体の計数値を表示するデジタル表示器（例えば、デジタル表示器７０）が設けられていることを特徴とする。
【００２２】
このような構成によれば、デジタル表示器の配線を、機能部の配線と同じ箇所に通すことができるため、遊技用装置が複雑な構造となることを防ぐことができる。
【００２３】
（９）上記（６）の遊技用装置において、
前記遊技媒体受け皿ユニットには、前記遊技用装置の操作の用に供するボタン（例えば、操作ボタン６０）が設けられていることを特徴とする。
【００２４】
このような構成によれば、ボタンの配線を、機能部の配線と同じ箇所に通すことができるため、遊技用装置が複雑な構造となることを防ぐことができる。
【００２５】
（１０）上記（７）の遊技用装置において、
前記アームは、複数のアーム部（例えば、アーム部材１６１、１６２、１６３）と、該複数のアーム部を連結する複数の関節部（例えば、関節Ｒ１、Ｒ２、Ｒ３）とから構成されており、
前記アームには、前記液晶表示パネル用の配線が設けられていることを特徴とする。
【００２６】
このような構成によれば、液晶表示パネル用の配線が撓んだり断線したりすることを抑制することができる。
【図面の簡単な説明】
【００２７】
【図１】第１実施形態に係るパチンコ遊技機、及びパチンコ遊技機に併設された遊技用装置の正面図。
【図２】ユーティリティーユニットの内部構造を示す側面概略図。
【図３】（ａ）及び（ｂ）は、カードユニットを取り付けるためのユニットホルダの斜視図。
【図４】（ａ）はユニットホルダの正面図、（ｂ）は（ａ）に示すユニットホルダの一部拡大図、（ｃ）は、計数払出ユニットの側面図。
【図５】（ａ）及び（ｂ）は、ユニットホルダに設置されたカードユニット及び玉受け皿ユニットの斜視図。
【図６】（ａ）及び（ｂ）は、玉受け皿ユニットの斜視図。
【図７】第１実施形態におけるカードユニット、及び玉受け皿ユニットの構成を示すブロック図。
【図８】（ａ）は第１変形例に係る玉受け皿ユニットの斜視図、（ｂ）は第２変形例に係る玉受け皿ユニットの斜視図。
【図９】第２実施形態に係るパチンコ遊技機、及びパチンコ遊技機に併設された遊技用装置の正面図。
【図１０】下部前面枠と表示用ユニットとを拡大して示す斜視図。
【図１１】下部前面枠と表示用ユニットと拡大して上から見て示す図。
【図１２】下部前面枠と表示用ユニットとを分解して示す斜視図。
【図１３】係止部を分解して下部前面枠を示す斜視図。
【図１４】第２実施形態における表示部の構成要素を分解して表示用ユニットを前方から示す斜視図
【図１５】第２実施形態における表示部の構成要素を分解して表示用ユニットを後方から示す斜視図。
【図１６】アームのカバーを分解して表示用ユニットを示す斜視図。
【図１７】構成要素ごとに分解してアームと取付部とを前方から示す分解図。
【図１８】構成要素ごとに分解してアームと取付部とを後方から示す分解図。
【図１９】表示体とアームとの接続を説明するための図。
【図２０】（ａ）及び（ｂ）は、下部前面枠と表示用ユニットとが一体に回動するときの動作を説明するための図。
【図２１】（ａ）及び（ｂ）は、下部前面枠と表示用ユニットとが別々に回動するときの動作を説明するための図。
【図２２】（ａ）は第１変形例に係る下部前面枠及び表示用ユニットの斜視図、（ｂ）は第２変形例に係る下部前面枠及び表示用ユニットの斜視図。
【発明を実施するための形態】
【００２８】
［第１実施形態］
以下、図面を参照して本発明に係る遊技用装置を実施するための形態を説明する。図１は、第１実施形態に係るパチンコ遊技機、及びパチンコ遊技機に併設された遊技用装置の正面図である。
【００２９】
遊技場内に複数配置されている各遊技島（図示略）に、パチンコ遊技機１が並設されている。パチンコ遊技機１と該パチンコ遊技機１に隣り合うパチンコ遊技機との間には、台間遊技用装置の一例であるユーティリティーユニット３００及びカードユニット４００が配設されている。また、パチンコ遊技機１の前方には、遊技用装置の一例である玉受け皿ユニット４が配設されている。また、ユーティリティーユニット３００には、透明なアクリルボード６００ａ（図２）からなる分煙ボード６００（分煙板）が、各パチンコ遊技機１の前方スペースを仕切るように配設されている。
【００３０】
パチンコ遊技機１は、遊技盤面を構成する遊技盤（ゲージ盤）２と、遊技盤２を支持固定する遊技機用枠（台枠）３とから構成されている。遊技盤２には、ガイドレールによって囲まれた略円形状の遊技領域が形成されており、打球発射装置２５から発射された遊技媒体としてのパチンコ玉がこの遊技領域に打ち込まれることで遊技が行われるようになっている。パチンコ遊技機１の下部には打球供給皿（上皿）２３が設けられ、その打球供給皿２３の下方には、打球供給皿２３から溢れたパチンコ玉を貯留する下皿２４とパチンコ玉を発射する打球発射装置２５とが設けられている。
【００３１】
カードユニット４００は、パチンコ遊技機１の左側に隣接して配置され、遊技者が紙幣を挿入する紙幣挿入口４０１と、遊技者がプリペイドカード（図示略）を挿入するカード挿入口４０２と、該カード挿入口４０２に挿入されたプリペイドカードから読み出された度数や各種情報が表示される情報表示部４０３と、が設けられている。パチンコ遊技機１には、挿入中のプリペイドカードによる度数が存在する場合に遊技者に押圧操作されることで、所定数量のパチンコ球の貸出をパチンコ遊技機１に実施させる貸出スイッチ（図不図示）と、遊技の終了時にてカードユニット４００に受付中のプリペイドカードを返却させるための返却スイッチ（不図示）と、が設けられている。
【００３２】
図２は、ユーティリティーユニット３００の内部構造を示す側面概略図である。図２に示すように、ユーティリティーユニット３００は、遊技機設置島（不図示）に固定される縦長帯状の本体枠３０１と、本体枠３０１の下部に凹設されたブックホルダ３０３と、本体枠３０１の上部に設けられた空気清浄ユニット３２０と、この空気清浄ユニット３２０に電源を供給する電源ユニット３０４と、飲料容器等を保持するドリンクホルダ６２０と、左隣りのパチンコ遊技機１と間での煙の流動を抑制するための分煙ボード６００と、から主に構成されている。本実施形態においては、ユーティリティーユニット３００は、カードユニット４００の左隣りに設置されている。
【００３３】
ブックホルダ３０３は、ユーティリティーユニット３００の下部に設けられている。ブックホルダ３０３は、前面が開口した箱状に形成され、対応するパチンコ遊技機１に関する遊技情報や遊技店に関する情報等が掲載された冊子等が収納される。
【００３４】
ドリンクホルダ６２０は、ユーティリティーユニット３００の下部に設けられている。ドリンクホルダ６２０は、本体枠３０１の前面から前方側に引き出せるように構成されたホルダ本体６２０ａを有している。ホルダ本体６２０ａを本体枠３０１から引き出すと、図１に示すように、ホルダ本体６２０ａの右側面に設けられた保持フレーム６２１と載置板６２２とが右方側に傾倒する。これにより、載置板６２２に飲料容器等を載置するとともに、保持フレーム６２１により飲料容器等の側周面を保持することができる。なお、ホルダ本体６２０ａを収納する際には、保持フレーム６２１と載置板６２２とを立設させた状態にして本体枠３０１に押し込むようにする。
【００３５】
また、分煙ボード６００は、ユーティリティーユニット３００の左側に設けられている。分煙ボード６００は、本体枠３０１からの突出量を調整できるように設けられている。この分煙ボード６００は、左隣りにあるパチンコ遊技機（不図示）を使用している遊技者が喫煙をした際、その煙が、ユーティリティーユニット３００が対応するパチンコ遊技機１を使用している遊技者まで流れてくることを抑制するために設けられる。
【００３６】
図２に示すように、分煙ボード６００は、本体枠３０１の前面から前方に突出しており、分煙ボード６００の上部側は大きく前方に突出している。一方、分煙ボード６００の下部側は切り欠かれて、その突出長は小さい。なお、分煙ボード６００の上端は、後述する空気清浄ユニット３２０の送出口３１５よりも上方に位置している。これにより、空気清浄ユニット３２０の送出口３１５から吹き出す清浄な空気を遊技者に案内することができる。また、分煙ボード６００は、アクリルボード６００ａの外周縁を保持するボードフレーム６０１と、分煙ボード６００を引き出すときに把持するための把手部材６０２とを有している。この把持部材６０２は、ボードフレーム６０１とアクリルボード６００ａとを強固に連結する。
【００３７】
空気清浄ユニット３２０は、ユーティリティーユニット３００の上部に設けられている。空気清浄ユニット３２０は、遊技者の顔面付近に清浄な空気を供給するための送出口３１５と、送出口３１５の上方に設けられた、空気清浄ユニット３２０の電源スイッチ３１６と、を有している。
【００３８】
次に、本実施形態のカードユニット４００の詳細、及びカードユニット４００の取り付け方法について説明する。図３（ａ）及び（ｂ）は、カードユニットを取り付けるためのユニットホルダの斜視図である。図４（ａ）はユニットホルダの正面図、図４（ｂ）は（ａ）に示すユニットホルダの一部拡大図、図４（ｃ）は、計数払出ユニットの側面図である。図５（ａ）及び（ｂ）は、ユニットホルダに設置されたカードユニット及び玉受け皿ユニットの斜視図である。
【００３９】
本実施形態のカードユニット４００は、図３および図５に示すように、ユニットホルダ８に形成された上部ガイド９、及び下部ガイド１０に係合されることで、ユニットホルダ８を介して遊技島に設置されている。カードユニット４００は、図５に示すように、計数払出ユニット２９と、その上部に位置する上部ユニット３ａとから構成されている。計数払出ユニット２９を下部ユニット３ｂとも言う。通常、カードユニット４００と上部ユニット３ａとは施錠されている。なお、カードユニット４００の背面には、カードユニット４００の本体と上部ユニット３ａとの施錠を解除するための解除操作部が設けられている。この解除操作部は、パチンコ遊技機１を取り外すことで遊技島内側から操作することができる。この解除操作部を操作して施錠を解除することで、上部ユニット３ａをカードユニット４００から引き出すことができる。また、上部ユニット３ａを引出した状態で、下部ユニット３ｂである計数払出ユニット２９とユニットホルダ８との嵌合を解除することにより、計数払出ユニット２９をユニットホルダ８から引出すことができる。
【００４０】
図１並びに図５（ａ）及び（ｂ）に示すように、本実施形態に係るカードユニット４００における上部ユニット３ａの前面には、紙幣を挿入するための紙幣挿入口４０１、会員カードやビジターカードを挿入するためのカード挿入口４０２、及び各種情報を表示可能な情報表示部４０３が設けられている。このカード挿入口４０２に挿入された会員カードやビジターカードが、カードリーダライタ３２７（図７参照）に受付けられて、それらカードに記録されている情報が読み取られる。情報表示部４０３の表面には、情報表示部４０３に表示された各表示項目を指でタッチすることにより入力可能とするための透明タッチパネル３１４が設けられている。
【００４１】
パチンコ遊技機１の下皿２４の下方位置には、玉受け皿ユニット４が設けられている。下皿２４に貯留されているパチンコ玉は、この玉受け皿ユニット４に放出することができる。このように放出されたパチンコ玉（返却玉）は、玉受け皿ユニット４内を流下して、計数払出ユニット２９に流入する。計数払出ユニット２９は、流入したパチンコ玉を計数する。
【００４２】
図３に示すように、ユニットホルダ８の上部には上部ガイド９が設けられ、下部には下部ガイド１０が設けられている。この上部ガイド９と下部ガイド１０とで、カードユニット４００を上下から挟み込みスライドすることにより、カードユニット４００はユニットホルダ８に保持される。ユニットホルダ８にはボックス取付板１５が設けられており、このボックス取付板１５を介して電源基板ボックス１４が取付けられる。この電源基板ボックス１４は、カードユニット４００に所定電圧の電力を供給するためのものである。
【００４３】
ユニットホルダ８には、前述した遊技島の玉供給樋からパチンコ玉（返却玉）を取込んで流下させるための返却玉流下経路１３が設けられている。また、ユニットホルダ８の背面側には、背面に張出したコの字形状の蛇行経路取付フレーム１１が設けられており、この蛇行経路取付フレーム１１内に蛇行経路（蛇腹とも言う）１２が設けられている。蛇行経路１２は、パチンコ玉を複数回蛇行させて流下させる形状に構成されており、その蛇行によって、流下するパチンコ玉の玉圧を軽減するものである。前述の返却玉流下経路１３を流下してきたパチンコ玉（返却玉）が蛇行経路１２に供給され、この蛇行経路１２を経由して計数払出ユニット２９（図５）に供給される。この蛇行経路１２の蛇行によって、返却玉の流下圧力が軽減された状態で返却玉がスムーズに計数払出ユニット２９に供給されることとなる。図５に示すように、計数払出ユニット２９は、カードユニット４００の下方部に配置されている関係上、遊技島の玉供給樋からその計数払出ユニット２９までの高さが比較的大きなものとなり、玉圧が高いものとなるが、この蛇行経路１２により、その玉の流下圧力を有効に軽減できる利点がある。
【００４４】
この蛇行経路１２は、蛇行経路取付フレーム１１とともにユニットホルダ８に対して着脱自在に構成されており、さらに、返却玉流下経路１３もユニットホルダ８に対して着脱自在に構成されている。蛇行経路１２を計数払出ユニット２９とは別体に構成しているために、前述したように、流下してきた返却玉の玉圧を有効に軽減するための高さ（蛇行経路１２の上下方向の長さ）を確保しつつ計数払出ユニット２の小型化を実現できるという利点がある。なお図中１６はコイルバネである。
【００４５】
図４（ａ）に示すように、蛇行経路１２の下端部には、板部材２８０が設けられている。この板部材２８０に、返却玉供給口５１７と配線挿通口１８と計数玉取込口１９とが形成されている。返却玉供給口５１７には前述の蛇行経路１２が接続しており、蛇行経路１２を経由して流下してきた返却玉がこの返却玉供給口５１７から計数払出ユニット２９に供給される。また計数払出ユニット２９に接続される配線が、配線挿通口１８から挿入される。さらに計数払出ユニット２９が取込んだ計数玉は、計数玉取込口１９から取込まれて図示しない遊技島の玉回収樋に排出される。
【００４６】
図４（ｂ）は図４（ａ）の返却玉供給口５１７近辺を拡大した図である。板部材２８０には、回動軸２１により回動自在に返却玉シャッタ２０が設けられている。回動軸２１には捻りコイルバネ２２が設けられており、捻りコイルバネ２２の一端が返却玉シャッタ２０に設けられたバネ留め用孔２８に挿入され、捻りコイルバネ２２の他端がユニットホルダ８の内壁に係止されている。この状態で、返却玉シャッタ２０は捻りコイルバネ２２の弾性力により図４（ｂ）に示すように、返却玉供給口５１７を閉鎖する姿勢となるように付勢されている。
【００４７】
板部材２８０の上面は、嵌合板部３２となっており、計数払出ユニット２９をユニットホルダ８に挿入設置する際に、この嵌合板部３２が図４（ｃ）に示す嵌合片３０と計数払出ユニット２９との間の間隙に入り込み、計数払出ユニット２９がユニットホルダ８側に連結固定されることとなる。その際に、図４（ｃ）に示すように、係合片３０の下端にシャッタ押さえ部３１が形成されており、係合片３０と計数払出ユニット２９との隙間に嵌合板部３２を嵌合させる際に、図４（ｂ）の矢印で示すように、シャッタ押さえ部３１により返却玉シャッタ２０の頭部が下方に押さえ込まれる。その結果、返却玉シャッタ２０は矢印方向に回動し、返却玉供給口５１７のシャッタが解除されて返却玉供給口５１７から返却玉が計数払出ユニット２９側に流入可能となる。
【００４８】
このように、返却玉シャッタ２０の働きにより、計数払出ユニット２９が取付けられていない状態では返却玉供給口５１７が閉鎖されて返却玉がこぼれ出さないように構成されるとともに、計数払出ユニット２９を取付けることにより、自動的に返却玉供給口５１７の閉鎖が解除されて返却玉が計数払出ユニット２９に流下可能となるように構成されている。
【００４９】
なお、図４（ｃ）中、１４２は上部ユニット３ａを載置するための載置部材である。また３３ａは上部嵌合突起であり３４は下部嵌合突起である。この上部嵌合突起３３ａは左右に一対設けられている。これら上部嵌合突起３３ａと下部嵌合突起３４とにより、玉受け皿ユニット４が連結固定される。これについては、後に詳しく説明する。
【００５０】
以上説明したカードユニット４００は、自台計数機能付のカードユニットを説明したが、自台計数機能が付いていないタイプのカードユニットの場合には、蛇行経路取付フレーム１１、蛇行経路１２および計数払出ユニット２９が不要となる。計数払出ユニット２９と電源基板ボックス１４とは、その大きさが互いに同じとなるように構成されており、自台計数機能が付いていないタイプのカードユニットの場合には、計数払出ユニット２９を取り除き、そこに電源基板ボックス１４を配置する。そうすることにより、ユニットホルダ８の側方に電源基板ボックス１４が張出すことがなくなる。
【００５１】
図６（ａ）、（ｂ）は、玉受け皿ユニットの斜視図である。玉受け皿ユニット４は、玉受け皿部３５とサブ皿部７とが形成されている。玉受け皿部３５は、受入れた計数玉が計数玉出口４２ａ、４２ｂ（図６（ｂ）参照）側に流下するようにその底面が傾斜している。そして、玉受け皿部３５の底面における下り傾斜途中箇所からすのこ３７が形成されている。さらにこの玉受け皿部３５には、投入される計数玉の衝突を緩和するためのゴムシート３９が設けられている。このゴムシート３９の前記すのこ３７に相当する箇所は切欠が形成されている。この玉受け皿部３５に受入れられた返却玉は、傾斜した底面を流下してすのこ３７を通って計数玉出口４２ａ、４２ｂまで導かれる。
【００５２】
サブ皿部７は、図６（ｂ）に示す返却玉流入口４１から流入した返却玉が、図６（a）に示す返却玉出口４０から放出されてその返却玉を貯留するためのものである。サブ皿部７の底面にも、すのこ３８が形成されている。玉受け皿部３５やサブ皿部７にこぼれた水やごみが、このすのこ３７、３８を通って玉受け皿ユニット４から下方に排出される。さらに、サブ皿部７のすのこ３８は、貯留された返却玉を遊技者が左指ですくって取り出すときに、その指のすくう方向に沿った方向にすのこが形成されているために、遊技者が左手で返却玉を取り出しやすいという利点がある。
【００５３】
なお、図１に示すように、玉受け皿ユニット４の底面には、レベルアジャスタ５が設けられている。このレベルアジャスタ５は、高さ調整が可能に構成されているとともに、後述するように、玉受け皿ユニット４を計数払出ユニット２９に着脱する際に有効に働く部材である。
【００５４】
図６（ｂ）に示すように、玉受け皿ユニット４の計数払出ユニット２９への取付箇所には、プレート状の接続用金具５９が設けられている。この接続用金具５９には、返却玉流入口４１用の開口と計数玉出口４２ａ，４２ｂ用の開口とが形成されている。さらに、返却玉流入口４１用の開口の左右には、嵌合用切欠部４７ａ，４７ｂが形成されており、計数払出ユニット２９に形成された、対の上部嵌合突起３３ａ（図４）がこの嵌合用切欠部４７ａ，４７ｂに嵌合する。
【００５５】
さらに、接続用金具５９の底面側には、嵌合用スリット（不図示）が形成されており、計数払出ユニット２９の下部嵌合突起３４（図４（ｃ））がこの嵌合用スリット４８に嵌合するように構成されている。
【００５６】
図６（ｂ）中の符号４３は受光部を示しており、後述する計数払出ユニット２９に設けられたＬＥＤ（不図示）からの発光をこの受光部４３で受光し、その受光した光によって樹脂製の発光部３６が発光するように構成されている。
【００５７】
さらに、接続用金具５９のほぼ中央付近から規制突片４４が突出している。その規制突片４４の先端が下方に屈曲して押込み用爪部４５が形成されている。これら規制突片４４および押込み用爪部４５については後に詳しく説明する。
【００５８】
図６（ｂ）中の符号４６は窪み部を示しており、玉受け皿ユニット４を設置したときのパチンコ遊技機１の下方部分の出っ張りを回避するための窪みである。
【００５９】
図５、６に示すように、玉受け皿ユニット４は、カードユニット４００の下部にその一端が取り付けられている。カードユニット４００に取り付けられた玉受け皿ユニット４は、パチンコ遊技機１（図１）の前方まで延出しており、玉受け皿部３５及びサブ皿部７は、パチンコ遊技機１の前方に位置している。すなわち、図６（ａ）に示すように、玉受け皿ユニット４は、カードユニット４００（図５（ａ）、（ｂ））に取り付けられパチンコ遊技機１（図１）の前方にまで突出したアーム部２５０と、玉受け皿部３５及びサブ皿部７から構成された、アーム部２５０に設けられた関連機器２６０と、から構成されている。ここで、アーム部２５０は、カードユニット４００に取り付けられている端部（左端）から、他方の端部（右端）まで延出した部分をいう。すなわち、アーム部２５０は、玉受け皿ユニット４の全長に亘って延出した部分をいう。また、玉受け皿部３５及びサブ皿部７はアーム部２５０に形成されている。玉受け皿部３５は、アーム部２５０においてサブ皿部７よりも先端に位置している。
【００６０】
このように、アーム部２５０を介してカードユニット４００（図５）に取り付けられた関連機器２６０（玉受け皿部３５及びサブ皿部７）は、パチンコ遊技機１（図１）の前方であり、かつ、遊技者の前方に位置する。これにより、遊技者は、関連機器２６０に貯留されたパチンコ玉の取り出し等を容易に行うことができる。
【００６１】
また、図６（ａ）に示すように、玉受け皿ユニット４において、玉受け皿部３５の右側に、非接触式の集積回路（ＩＣ（ｉｎｔｅｇｒａｔｅｄ ｃｉｒｃｕｉｔ ｃａｒｄ）チップ）と通信するためのリーダ・ライタ部５０が設けられている。ＩＣチップは、例えば、遊技者が保有する携帯端末５５に搭載されている。なお、リーダ・ライタ部５０の中央に記された矩形状のマーク５０ａは、携帯端末５５を近づけるべき位置を示すものである。この携帯端末５５には、ＩＣチップ及びアンテナ（共に不図示）が組み込まれており、携帯端末５５が搭載するバッテリから電力を受けて、リーダ・ライタ部５０との無線通信を行う。遊技者は、まず、玉受け皿部３５の前面に設けられた後述する操作ボタン６０を押すことで、リーダ・ライタ部５０を所定の待ちの状態とする。そして、遊技者は、携帯端末５５をリーダ・ライタ部５０にかざすことで、遊技しようとするパチンコ遊技機１（図１）の情報や、遊技方法を携帯端末５５に受け取ることができる。さらに、遊技者は、携帯端末５５をリーダ・ライタ部５０にかざすことで、獲得したパチンコ玉を貯玉したり、貯玉したパチンコ遊技玉を用いて再プレイしたりすることができる。
【００６２】
玉受け皿ユニット４に設けられたリーダ・ライタ部５０は、パチンコ遊技機１（図１）の前方であり、パチンコ遊技機１の中央に寄せて（パチンコ遊技機１の両サイドから距離をとって）配置することができる。そのため、隣席との間に分煙ボード６００（図１）を設置したとしても、分煙ボード６００（図１）がリーダ・ライタ部５０に近接することはない。そのため、携帯端末５５をかざすためのスペースが、リーダ・ライタ部５０の周囲に十分に確保される。このことは、意匠上の観点から、右側、あるいは左側に膨出部（不図示）を有するパチンコ遊技機１に併設しても同様の効果を奏する。すなわち、これらの膨出部（不図示）とリーダ・ライタ部５０との間に十分な距離を確保することができる。そのため、パチンコ遊技機１に形成された膨出部（不図示）は、携帯端末５５をリーダ・ライタ部５０にかざす際に障害となることはない。
【００６３】
また、図６（ａ）に示すように、玉受け皿ユニット４の前面には、操作ボタン６０及びデジタル表示器７０が形成されている。遊技者は、操作ボタン６０を押下することにより、貯玉や再プレイ等の実行したい処理を選択することができ、携帯端末５５とリーダ・ライタ部５０との無線通信を実行することができる。また、デジタル表示器７０は、情報表示部４０３（図１）にかえて、表示部計数払出ユニット２９（図５）が計数したパチンコ玉数を表示してもよい。なお、デジタル表示器７０は、タッチパネル式の表示パネルであってもよく、例えば、押圧することで選択可能な複数のメニューを表示するものであってもよいし、暗証番号入力画面において、押圧することで選択可能な０〜９までの数字を表示するものであってもよい。
【００６４】
このように、玉受け皿ユニット４の前面に設けられた操作ボタン６０は、リーダ・ライタ部５０と同様、パチンコ遊技機１の中央に寄せて配置することができる。そのため、操作ボタン６０の操作スペースを十分に確保することができ、隣席との間に配置された分煙ボード６００（図１）や、パチンコ遊技機１の右側、あるいは左側に形成された膨出部によって、操作ボタン６０の操作に支障をきたすことはない。
【００６５】
また、デジタル表示器７０も、操作ボタン６０と同様、パチンコ遊技機１の中央に寄せて配置することができる。そのため、分煙ボード６００（図１）の設置や、右側、あるいは左側に形成された膨出部を有するパチンコ遊技機によって、デジタル表示器７０の視認性に支障をきたすことはない。
【００６６】
本実施形態に係る遊技用装置である玉受け皿ユニット４においては、種々の機能を発揮する機能部としてのリーダ・ライタ部５０、操作ボタン６０、及びデジタル表示器７０が、関連機器２６０である玉受け皿部３５に設けられている。このように、カードユニット４００からパチンコ遊技機１の前方にまで延出したアーム部２５０を介して各機能部を設けることで、それぞれの機能部の機能を発揮しうる十分なスペースを確保することを可能としている。
【００６７】
なお、上述したリーダ・ライタ部は、ＩＣチップを搭載した携帯端末との間で無線通信を行うものであると説明したが、例えば、ＩＣチップを搭載したＩＣカードとの間で通信するものであってもよい。このＩＣカードは、遊技店が会員登録をした遊技者に発行した会員カードであってもよいし、様々な提携先で共通して利用可能なカードであってもよい。
【００６８】
図７は、本実施形態のカードユニット４００、及び玉受け皿ユニット４の構成を示すブロック図である。カードユニット４００における上部ユニット３ａは、上述したように、主には、紙幣識別ユニット３２１と、カードリーダライタ３２７と、表示制御基板３２９と、計数払出ユニット２９と、カードユニット４００の各部の制御を制御プログラムにより実施して該カードユニット４００の各種の機能を提供する制御ユニット３２８とから構成されており、紙幣識別ユニット３２１、カードリーダライタ３２７、リーダ・ライタ部５０、計数払出ユニット２９および表示制御基板３２９は、制御ユニット３２８と接続されて各種データの送受が可能とされている。
【００６９】
カードリーダライタ３２７は、カード挿入口４０２から挿入される会員カード並びにビジターカードに記録されている（会員）カードＩＤや、会員ＩＤ（会員カードのみ）、プリペイド残額データ等の記録情報の読み出し並びに書き込みを行う。なお、プリペイド残額は、会員カード並びにビジターカードに記録させることなく、システムコントローラ１００などがカードＩＤに対応付けて記憶し、カードに対応するプリペイド残額を当該カードのカードＩＤから検索できるように管理してもよい。
【００７０】
次に、本実施形態の制御ユニット３２８について説明すると、制御ユニット３２８は、図７に示すように、制御プログラムを実行可能な中央演算処理回路（ＣＰＵ）３２８ａや、カードリーダライタ３２７に受付け中のビジターカードや会員カードの（会員）カードＩＤ並びにプリペイド残額や、持玉数、貯玉数、来店ポイント数、対応するパチンコ遊技機１の台データ、遊技中の会員の遊技情報、計数払出ユニット２９に貯留されているパチンコ玉数である貯留玉数データ、リーダ・ライタ部５０が通信した端末装置のＩＤ並びに、持玉数、貯玉数等の各種のデータを記憶可能なＲＡＭ３２８ｂや、中央演算処理回路（ＣＰＵ）３２８ａが実行する制御プログラムや、当該カードユニット４００の装置ＩＤを含む設定情報を書き換え記憶可能な不揮発性メモリであるＥＥＰＲＯＭ３２８ｃを含み、ＲＡＭ３２８ｂは図示しない電池によりバックアップされており、電源が遮断されても、所定期間において記憶されているデータが保持される。
【００７１】
本実施形態の制御ユニット３２８は、前述したようにパチンコ玉の貸出に伴う各種の信号の授受を、パチンコ遊技機１に設けられている図示しない賞球制御基板との間において実施可能に接続されているとともに、前述のように、信号ケーブルを介して、パチンコ遊技機１の情報出力基板と接続されることで、大当り中信号等の各種の外部出力信号が入力可能とされている。
【００７２】
また、制御ユニット３２８は、対応するパチンコ遊技機１の下方位置に設けられているアウト玉計数器１７に接続されて該アウト玉計数器１７による各計数信号が入力可能とされている。
【００７３】
また、制御ユニット３２８は、計数払出ユニット２９と接続されており、後述するように、該計数払出ユニット２９から出力されてくる計数情報の受信に応じて、情報表示部４０３に表示している計数済玉数の値を更新することで、計数払出ユニット２９にて計数された玉数の総数（その時点前に既にその当日に計数された玉数が存在する場合には、その合計となる持玉数）が計数済玉数として表示される。
【００７４】
また、制御ユニット３２８は、装置前面の突出部３０５の下方位置に設けられた払出ボタン３１９に対応する払出ボタンスイッチ３１１’に接続されており、払出ボタン３１９の操作に応じた信号が、該払出ボタンスイッチ３１１’から入力されることにより、払出ボタン３１９の操作の有無を把握し、払出ボタン３１９の操作があったときには後述する払出処理を実施することで、払出単位数（２５個）のパチンコ玉の払出しを対応するパチンコ遊技機１から実施させるとともに、払出単位数未満（２４個以下）の端数のパチンコ玉の払出しを計数払出ユニット２９から実施させる。
【００７５】
ＲＡＭ３２８ｂには、遊技情報が格納されている。具体的には、対応するパチンコ遊技機１から出力される前述した大当り中信号、確変中信号、時短中信号の入力状態に基づく現在の遊技状態（本日のみ）と、最新の遊技状態データ並びに前回の遊技状態データ（最新の遊技状態データに更新される前の遊技状態データ、本日のみ）、営業開始時点からの総打込玉数、総賞球数、差玉数（総打込玉数−総賞球数）、総始動回数、大当り状態の発生が識別される毎にリセットされて大当りの発生後からの始動回数である当り後始動回数、営業開始時点からの大当りの発生回数である大当り回数、営業開始時点からの確変状態の発生回数である確変回数と、営業開始時点からの時短状態の発生回数である時短回数と、通常遊技状態において発生した大当りから次に通常遊技状態となるまでに発生した大当りの回数である連荘回数からなる遊技情報が格納されており、これら遊技情報は、入力される大当り中信号、確変中信号、時短中信号、始動信号、賞球信号、アウト玉計数信号に基づいて最新の情報に更新される。
【００７６】
制御ユニット３２８は、リモコンからの送信に応じたＩＲ受光ユニット３１５からの出力や突出部３０５に設けられている払出ボタン３１９の操作やタッチパネル３１４の操作、及び操作ボタン６０の操作に応じて表示制御基板３２９から入力される各種情報や、紙幣識別ユニット３２１による貨幣識別情報、カードリーダライタ３２７からのカード挿入情報やビジターカードの貯留状態情報、並びにリーダ・ライタ部５０からの携帯端末の情報や、貯玉情報等を受けて、制御ユニット３２８に接続されている前記多機能ランプ内に設けられたフルカラーＬＥＤ３０１ａ等の各ＬＥＤの点灯制御、カードリーダライタ３２７、表示制御基板３２９の制御、残額表示器の表示制御等、全体の動作制御、並びに、カード挿入口４０２に挿入された会員カードやビジターカードの利用の可／不可を判別するカード受付け処理や、受付け中の会員カード或いはビジターカードから読み出したプリペイド残額データに基づくプリペイド残額を使用した玉貸を行う貸出処理や、返却ボタンの操作により受付け中の会員カードやビジターカードの返却する返却処理や、貨幣の受付けに応じて、受付け中の会員カードやビジターカードに残存するプリペイド残額への入金、或いは新たなビジターカードにプリペイド残額を書き込んで発行する発行・入金処理や、払出ボタン３１９の操作の受付けによって、計数済玉数がある場合に計数済玉数（挿入されたビジターカード並びに会員カードにより特定されるものを含む）から払出し（返却し）て該払出した玉数を計数済玉数から減算更新する払出処理または貯玉数を用いた再プレイ処理等の各種処理を実行する。
【００７７】
また、制御ユニット３２８は、通信部３３４並びにＨＵＢ５２を介して、ローカルエリアネットワーク（ＬＡＮ）に接続されているシステムコントローラ（図示略）、ホールコンピュータ（図示略）並びに管理コンピュータ（図示略）等とデータ通信可能に接続されており、これらの各コンピュータと各種データの送受が該通信部３３４を通じて可能とされている。
【００７８】
また、制御ユニット３２８に接続された表示制御基板３２９は、情報表示部４０３を成す液晶表示器３１３や、透明タッチパネル３１４や、ＩＲ受光ユニット３１５、ＬＥＤ３２０ａ、デジタル表示器７０等の電子部品が接続されており、これら透明タッチパネル３１４、及びデジタル表示器７０の操作情報や、ＩＲ受光ユニット３１５から出力された出力信号に基づく情報が、表示制御基板３２９を介して制御ユニット３２８に出力される。
【００７９】
本実施形態の表示制御基板３２９には、液晶表示器３１３、デジタル表示器７０の表示駆動を行う表示駆動回路（図示略）や、前記透明タッチパネル３１４及びデジタル表示器７０からの出力信号に基づいて押圧操作された位置を特定して該特定した入力位置情報を出力する入力位置検出回路（図示略）や、情報表示部４０３に表示する表示映像に関する処理を行うＶＤＰ（図示略）や、メニュー表示等に使用する画像データ等を記憶するＶＲＯＭ（図示略）や、情報表示部４０３に表示する表示データを一時記憶するＶＲＡＭ（図示略）や、制御ユニット３２８から独立して、各種スイッチ類やタッチパネル等の入力に伴う判断や処理を処理プログラムに基づいて実施する表示制御マイコン等が実装されており、制御ユニット３２８から出力される表示データ（ページデータ）等に基づいて、各種の表示画面を、情報表示部４０３を成す液晶表示器３１３やデジタル表示機７０に表示可能とされている。
【００８０】
また、制御ユニット３２８は、計数払出ユニット２９と計数情報や端数払出要求等の各種のデータを、少ない通信線数にてデータの送受が可能なシリアル通信により送受可能に接続されている。
【００８１】
制御部３５０は、前述した計数センサ３５６ａ、３５６ｂ、電波センサ２０７、球切れ検出センサ２０４、払出モータ３５３、玉受け皿有無検知センサ２７０、シャッタソレノイド２１２、ＬＥＤ２１５ａ、２１５ｂ、返却玉センサ２５１が接続されている。
【００８２】
以上説明したように、本実施形態に係る玉受け皿ユニット４では、パチンコ遊技機１の前方に突出するアーム部２５０に設けられた関連機器である玉受け皿部３５に、機能部であるリーダ・ライタ部５０が設けられている。すなわち、リーダ・ライタ部５０は、パチンコ遊技機１（図１）の中央に寄せて配置されるため、隣席との間に分煙ボード６００（図１）を設置したとしても、分煙ボード６００がリーダ・ライタ部５０に近接することはない。これにより、携帯端末５５（図６（ａ））をかざすためのスペースを、機能部であるリーダ・ライタ部５０の周囲に十分に確保することができるため、リーダ・ライタ部５０周辺のスペース不足によって、リーダ・ライタ部５０がその機能を発揮できないという状況を防ぐことができる。
【００８３】
また、携帯端末５５に搭載された記録媒体（不図示）をリーダ・ライタ部５０に近づけることができるため、この記録媒体を確実に読み取ることができる。これらのことは、意匠上の観点から、右側、あるいは左側に膨出部（不図示）を有するパチンコ遊技機１に、本実施形態に係る玉受け皿ユニット４を併設しても同様の効果を享受することができる。
【００８４】
また、本実施形態に係る玉受け皿ユニット４では、パチンコ遊技機１の前方に突出するアーム部２５０に設けられた関連機器である玉受け皿部３５の前面に、機能部である操作ボタン６０及びデジタル表示器７０も設けられている。すなわち、リーダ・ライタ部５０と同様、機能部である操作ボタン６０及びデジタル表示器７０も、パチンコ遊技機１の中央に寄せて配置されるため、操作ボタン６０及びデジタル表示器７０の周囲に十分なスペースを確保することができ、スペース不足によってこれらの機能が発揮できないという状況を防ぐことができる。
【００８５】
（第１変形例）
次に、上述の第１実施形態に係る遊技用装置の第１変形例について説明する。図８（ａ）は、第１変形例に係る玉受け皿ユニットの斜視図である。本変形例に係る玉受け皿ユニット４ａを説明するに際し、上述の実施形態に係る玉受け皿ユニット４（図６(ａ））と異なる構成を中心に説明するとともに、同一の構成については同一の符号を付すものとする。
【００８６】
本変形例に係る玉受け皿ユニット４ａにおいては、上述の玉受け皿ユニット４（図６（ａ））でリーダ・ライタ部５０が設けられていた玉受け皿部３５の右側の箇所に、操作ボタン６０及びデジタル表示器７０が設けられている。また、操作ボタン６０（図６（ａ））及びデジタル表示器７０（図６（ａ））が設けられていた玉受け皿部３５の前面に、リーダ・ライタ部５０が設けられている。また、玉受け皿ユニット４（図６（ａ））において、サブ皿部７が設けられていた玉受け皿ユニット４のアーム部２５０には、ドリンクホルダ５６が設けられている。
【００８７】
このように、本変形例に係る玉受け皿ユニット４ａにおいて、リーダ・ライタ部５０、操作ボタン６０、及びデジタル表示器７０の配置は、上述の玉受け皿ユニット４（図６（ａ））のこれらの配置と異なっている。しかしながら、上述の実施形態と同様、機能部であるリーダ・ライタ部５０、操作ボタン６０、及びデジタル表示器７０を、関連機器である玉受け皿部３５に設けている。この玉受け皿部３５は、カードユニット（図１）からパチンコ遊技機１の前方にまで延出したアーム部２５０に形成されている。そのため、機能部であるリーダ・ライタ部５０、操作ボタン６０、及びデジタル表示器７０を、パチンコ遊技機１の中央に寄せて配置することができる。これにより、本変形例に係る玉受け皿ユニット４ａを用いることで、上述の実施形態に係る玉受け皿ユニット４（図６（ａ））と同様の作用、効果を奏する。
【００８８】
このように、リーダ・ライタ部５０、操作ボタン６０、及びデジタル表示器７０は、適宜、その形成位置を変更することが可能である。そのため、これらの配置は、パチンコ遊技機１の外形上の特徴（例えば、パチンコ遊技機に形成された出張りや、種々の操作ボタンの配置態様等）、及びこれらの構成要素の操作性や視認性等を考慮して、最適な態様を選択することができる。
【００８９】
ドリンクホルダ５６は、玉受け皿ユニット４ａのアーム部２５０に形成された、飲料用の各種容器を保持するための凹部である。遊技者は、飲料用の各種容器をドリンクホルダ５６に保持させて、パチンコ遊技機１の遊技をすることができる。このように、玉受け皿ユニット４ａにドリンクホルダ５６を設けた場合、図１に示すユーティリティーユニット３００に設けられたドリンクホルダ６２０は不要である。そのため、図１に示すユーティリティーユニット３００の構成を簡略化することができる。
【００９０】
なお、図８（ａ）に示すように、パチンコ遊技機１（図１）の前方にまで延出したアーム部に設けられたドリンクホルダ５６は、パチンコ遊技機１の中央に寄せて配置することができる。そのため、隣席との間に分煙ボード６００（図１）を設置したり、右側あるいは左側に膨出部を有するパチンコ遊技機１に併設したりしたとしても、飲料用容器をドリンクホルダ５６に置いたり、取り出したりするためのスペースは十分に確保される。
【００９１】
上記実施形態では、払出単位数未満（２４個以下）の端数のパチンコ玉は、計数払出ユニット２９からサブ皿部７に払い出していた。しかしながら、本実施例においては、サブ皿部７（図６（ａ））は設けず、その代わりにドリンクホルダ５６を設けている。これに伴い、払出単位数未満の端数のパチンコ玉は、パチンコ遊技機１から打球供給皿２３（図１）に払い出すようにすればよい。
【００９２】
以上説明したように、本変形例に係る玉受け皿ユニット４ａでも、上述の第１実施形態に係る玉受け皿ユニット４と同様に、機能部としてのリーダ・ライタ部５０、操作ボタン６０、及びデジタル表示器７０が関連機器である玉受け皿部３５に設けてられているため、リーダ・ライタ部５０、操作ボタン６０、及びデジタル表示器７０の周囲に十分なスペースを確保することができ、スペース不足によってこれらの機能が発揮できないという状況を防ぐことができる。また、上述の第１実施形態と同様に、携帯端末５５に搭載された記録媒体（不図示）をリーダ・ライタ部５０に近づけることができるため、この記録媒体を確実に読み取ることができる。
【００９３】
さらに、飲料用の各種容器を保持する、保持部としてのドリンクホルダ５６も、パチンコ遊技機１（図１）の前方に突出したアーム部２５０に設けられている。これにより、ドリンクホルダ５６もパチンコ遊技機１の中央に寄せて配置することができるため、ドリンクホルダ５６の周囲に十分なスペースを確保することができ、スペース不足によってこれらの機能が発揮できないという状況を防ぐことができる。
【００９４】
（第２変形例）
次に、上述の第１実施形態に係る遊技用装置の第２変形例について説明する。図８（ｂ）は、第２変形例に係る玉受け皿ユニットの斜視図である。本変形例に係る玉受け皿ユニット４ｂを説明するに際し、上述の実施形態に係る玉受け皿ユニット４（図６(ａ））と異なる構成を中心に説明するとともに、同一の構成については同一の符号を付すものとする。
【００９５】
本変形例に係る玉受け皿ユニット４ｂにおいて、上述の玉受け皿ユニット４（図６（ａ））でリーダ・ライタ部５０が設けられていた部分は、計数玉を受け入れる凹部３５ａの一部となっている。そのため、上述の実施形態の玉受け皿ユニット４（図６（ａ））と比較して、下皿２４から計数玉を受け入れることのできる広い領域が確保されている。また、玉受け皿ユニット４（図６（ａ））において、サブ皿部７（図６（ａ））が設けられていたアーム部２５０には、リーダ・ライタ部５０、操作ボタン６０、及びデジタル表示器７０が設けられている。さらに、玉受け皿ユニット４ｂには、パチンコ遊技機１に関する遊技情報や遊技店に関する情報等が掲載された冊子等が収納されるブックホルダ５１が形成されている。ブックホルダ５１は、水平方向に沿ってアーム部２５０に形成された凹部である。
【００９６】
上述したように、本変形例に係る玉受け皿ユニット４ｂにおいて、リーダ・ライタ部５０、操作ボタン６０、及びデジタル表示器７０の配置は、上述の玉受け皿ユニット４（図６（ａ））のこれらの配置と異なっている。しかしながら、機能部であるリーダ・ライタ部５０、操作ボタン６０、及びデジタル表示器７０を、パチンコ遊技機１（図１）の前方に突出したアーム部２５０に設けることで、これらの各制御部をパチンコ遊技機１の中央に寄せて配置できるように配慮している。これにより、本変形例に係る玉受け皿ユニット４ｂを用いることで、上述の実施形態に係る玉受け皿ユニット４（図６（ａ））と同様の作用、効果を享受することができる。
【００９７】
また、本変形例においては、図６（ａ）に示した玉受け皿部４と異なり、玉受け皿部３５に隣接した箇所にリーダ・ライタ部５０を設けていない。そのため、図８（ｂ）に示すように、玉受け皿部３５に下皿２４からの計数玉を受け入れるための凹部３５ａをより広く確保することができる。これにより、玉受け皿部３５と下皿２４（図１）との間に高低差がある場合にも、下皿２４（図１）から放出されたパチンコ玉を玉受け皿部３５で確実に受け止めることができる。
【００９８】
また、本変形例に係る玉受け皿ユニット４ｂにおいては、アーム部２５０にブックホルダ５１が形成されている。そのため、ユーティリティーユニット３００に設けられたブックホルダ３０３（図１）を省略することができ、ユーティリティーユニット３００の構成を簡略化することが可能である。また、図８（ｂ）に示すように、ブックホルダ５１を、パチンコ遊技機１の前方に突出するアーム部２５０に形成することで、パチンコ遊技機１の中央に位置させている。これにより、隣席との間に分煙ボード６００（図１）を設置したり、右側あるいは左側に膨出部を有するパチンコ遊技機１に併設したりしたとしても、ブックホルダ５１に冊子等を収納するための十分なスペースを確保することができる。
【００９９】
以上説明したように、本変形例に係る玉受け皿ユニット４ｂでも、上述の第１実施形態に係る玉受け皿ユニット４及び第１変形例に係る玉受け皿ユニット４ｂと同様に、機能部としてのリーダ・ライタ部５０、操作ボタン６０、及びデジタル表示器７０がパチンコ遊技機１（図１）の前方に突出するアーム部２５０に設けているため、リーダ・ライタ部５０、操作ボタン６０、及びデジタル表示器７０の周囲に十分なスペースを確保することができ、スペース不足によってこれらの機能が発揮できないという状況を防ぐことができる。
【０１００】
さらに、冊子等を保持する保持部としてのブックホルダ５１も、上述の第１変形例に係るドリンクホルダ５６と同様に、パチンコ遊技機１（図１）の前方に突出したアーム部２５０に設けられている。これにより、ブックホルダ５１もパチンコ遊技機１の中央に寄せて配置することができるため、ブックホルダ５１の周囲に十分なスペースを確保することができ、スペース不足によってその機能が発揮できないという状況を防ぐことができる。
【０１０１】
［第２実施形態］
上述の玉受け皿ユニット４は、下皿２４（図１）から放出されたパチンコ玉を受け入れ、受け入れたパチンコ玉を計数払出しユニット２９（図５）に流入させる。計数払出しユニット２９は、流入したパチンコ玉を計数する。このような玉受け皿ユニット４は、入賞球の検出に応答して所定数の賞球を払い出す払出式遊技機に採用される。一方で、本発明は、遊技球を封入し、入賞球の検出に応答して得点を付与する封入式のパチンコ遊技機においても、同様に適用することができる。
【０１０２】
以下、図面を参照しつつ、封入式のパチンコ遊技機に適用可能な本発明の第２実施形態に係る遊技用装置について説明する。なお、第１実施形態で説明した構成要素と同様のものについては、同一の符号を付す場合があるものとする。以下では、第１実施形態で説明した構成要素と異なる内容を中心に説明するものとする。
【０１０３】
図９は、第２実施形態に係るパチンコ遊技機（封入式のパチンコ遊技機）、及びパチンコ遊技機に併設された遊技用装置の正面図である。なお、封入式のパチンコ遊技機とは、入賞球の検出に応答して得点を付与するパチンコ遊技機のことである。パチンコ遊技機（遊技機）１０１は、前面に形成された筺体と、筐体の一側（向かって左側）に上下を回動自在で且つ着脱自在に軸支され、パチンコ遊技機１０１の主要構成部の略全てが集約して設けられる上部前面枠１０３Ａと、この上部前面枠１０３Ａの下側に位置して筺体の一側に上下を回動自在で且つ着脱自在に軸支された下部前面枠１０３Ｂと、下部前面枠１０３Ｂの前面に配置される表示用ユニット１５０を備えている。なお、上部前面枠１０３Ａと下部前面枠１０３Ｂとが分離して設けられ、下部前面枠１０３Ｂの前面に表示用ユニット１５０が配置されるものに限らず、上部前面枠１０３Ａと下部前面枠１０３Ｂとが一体化された単一の前面枠の前面に表示用ユニット１５０が配置されてもよいし、下部前面枠１０３Ｂに代えて、または加えて、上部前面枠１０３Ａの前面に表示用ユニット１５０が配置されてもよい。
【０１０４】
パチンコ遊技機１０１の左側には、上記実施形態と同様、ユーティリティーユニット３００及びカードユニット７００が隣接して配設されている。カードユニット７００には、上記実施形態で説明した玉受け皿ユニット４（図１）に代えて、表示用ユニット１５０が取り付けられている。なお、ユーティリティーユニット３００は、上述の実施形態で説明したものと同様であるため、詳細については説明を省略する。
【０１０５】
上部前面枠１０３Ａと下部前面枠１０３Ｂとは相互に分離しており、上部前面枠１０３Ａは、一側上下に取り付けられた軸受部１３１ａ、１３１ｂがパチンコ遊技機１０１の筐体の図示しないヒンジ部に軸支されることによって、筐体に対して回動可能に取り付けられている。この上部前面枠１０３Ａには遊技盤面を構成する遊技盤（ゲージ盤）１０２が着脱自在に取り付けられている。遊技盤１０２には、ガイドレールによって囲まれた、外縁をほぼ円形状とする遊技領域が形成されている。この遊技領域には、遊技媒体としての遊技球が発射されて打ち込まれる。
【０１０６】
上部前面枠１０３Ａの下部には下部前面枠１０３Ｂが設けられている。カードユニット７００には、持点カードを挿入するカード挿入口１２８が設けられており、その下方に表示用ユニット１５０の一端が取り付けられている。図１０は、下部前面枠１０３Ｂと表示用ユニット１５０とを拡大して示す斜視図であり、図１１は、下部前面枠１０３Ｂと表示用ユニット１５０と拡大して上から見て示す図であり、図１２は、下部前面枠１０３Ｂと表示用ユニット１５０とを分解して示す斜視図である。なお、この実施形態では、下部前面枠１０３Ｂが遊技機の「扉体」に相当し、カードユニット７００（図９）に取り付けられた表示用ユニット１５０が「遊技用装置」に相当する。また、以下の説明においては、パチンコ遊技機１０１の正面に対峙した状態を基準として上下左右方向を説明する。
【０１０７】
図１０〜図１２に示すように、下部前面枠１０３Ｂはパチンコ遊技機１０１の筐体に取り付けられているとともに、表示用ユニット１５０はカードユニット７００（図９）に取り付けられている。下部前面枠１０３Ｂは、上部前面枠１０３Ａと同様に、一側上下に取り付けられた軸受部１３２ａ、１３２ｂがパチンコ遊技機１０１の筐体の図示しないヒンジ部に軸支されることによって、筐体に対して回動軸Ｒ回りに回動可能に取り付けられている。軸受部１３２ａ、１３２ｂは、下部前面枠１０３Ｂの回動軸Ｒに沿って互いに離間して形成されており、軸受部１３２ａと軸受部１３２ｂとの間のスペースに表示用ユニット１５０が配置される。つまり、下部前面枠１０３Ｂには、軸受部１３２ａ、１３２ｂの間に、回動軸Ｒよりも後方に退避した（オフセットした）退避部１３３が形成されており、その退避部１３３に表示用ユニット１５０が配置される。下部前面枠１０３Ｂの退避部１３３には、円弧曲面の凹部１３４が形成されており、この凹部１３４には、下部前面枠１０３Ｂと表示用ユニット１５０とが係止された状態で、後述する表示用ユニット１５０のアーム１６０の係止部１６７ａが係止される。
【０１０８】
下部前面枠１０３Ｂの前面上側には、デジタル表示器１８６と操作ボタン１８５が設けられており、右側には、遊技球を発射するための打球発射装置１３７が設けられている。デジタル表示器１８６は、７セグメント、ドットマトリクスのＬＥＤ、ＬＣＤ（液晶表示装置）などで構成され、遊技者の持ち点を表示する。また、操作ボタン１８５には、例えば各種スイッチ（精算スイッチ、中断スイッチ、玉貸スイッチ、自動玉貸スイッチ、リプレースイッチ、カードデータスイッチ、呼出スイッチ）のうちの１つまたは複数が集約して設けられている。遊技者が打球発射装置１３７のハンドルリングを操作することによって、遊技領域に遊技球が発射される。
【０１０９】
このように、本実施形態においては、下部前面枠１０３Ｂの前面上側であり、かつ、下部前面枠１０３Ｂの中央に操作ボタン１８５とデジタル表示器１８６とを設けている。このように、操作ボタン１８５をパチンコ遊技機１０１の中央に寄せた配置とすることで、隣席との間に配置された分煙ボード６００（図９）や、パチンコ遊技機１０１の右側、あるいは左側に形成された膨出部によって、操作ボタン１８５の押下げがしにくくなるということを避けることができ、操作ボタン１８５の操作スペースは十分に確保される。また、デジタル表示器１８６も同様に、下部前面枠１０３Ｂの中央に配置しているため、分煙ボード６００（図９）の設置や、右側、あるいは左側に形成された膨出部を有するパチンコ遊技機を設置したとしても、デジタル表示器１８６の表示内容が見えにくくなるという不具合が生じることはない。
【０１１０】
下部前面枠１０３Ｂには、デジタル表示器１８６や打球発射装置１３７を避けたスペースである配置面１４０に、表示用ユニット１５０が配置される。下部前面枠１０３Ｂにおける表示用ユニット１５０を配置するための配置面１４０は、下部前面枠１０３Ｂの回動軸Ｒよりも後方に退避して（オフセットして）形成されている。また、配置面１４０には、表示用ユニット１５０を下部前面枠１０３Ｂに対して係止するための係止部（係止部材）１４１が設けられている。図１３は、係止部１４１を分解して下部前面枠１０３Ｂを示す斜視図である。一例として、この実施形態では、係止部１４１は、互いに左右方向に並ぶように２組配置されており、それぞれに前側部材１４１ａと後側部材１４１ｂの２部材で構成されている。図１３に示すように、下部前面枠１０３Ｂの係止部１４１が設けられる箇所には貫通孔１４０ａが形成されており、下部前面枠１０３Ｂの前面側と背面側とから貫通孔１４０ａを通じて前側部材１４１ａと後側部材１４１ｂとがビス１４１ｃで止められることによって、係止部１４１は下部前面枠１０３Ｂに対して回転可能に軸支される。下部前面枠１０３Ｂの貫通孔１４０ａの周囲には、９０度ごとに小さな円形の凹部１４０ｂが形成されており、この凹部１４０ｂには、係止部１４１の前側部材１４１ａの背面に設けられた突起（図示せず）が嵌る。これにより、係止部１４１は、９０度回転させるごとに図示しない突起が凹部１４０ｂに嵌ってその位置が保持される。係止部１４１の前端には、扁平なフランジ部１４２が形成されており、表示用ユニット１５０の背面には、フランジ部１４２に対応した係止孔１５８ａが形成されている（図１４、図１５参照）。こうした構成により、係止部１４１のフランジ部１４２を係止孔１５８ａに挿入し、下部前面枠１０３Ｂの背面側から係止部１４１を回転させることによって、表示用ユニット１５０と下部前面枠１０３Ｂとが互いに係止（連結）される。このように、表示用ユニット１５０が有する表示部１５４（関連機器）は、パチンコ遊技機１０１（図９）の一部を構成する下部前面枠１０３Ｂの前面に連結される。なお、このときには、表示用ユニット１５０の係止部１６７ａが下部前面枠１０３Ｂの凹部１３４に係止される。また、表示用ユニット１５０と下部前面枠１０３Ｂとが係止した状態で、フランジ部１４２の向きと係止孔１５８ａの向きとが一致するように、下部前面枠１０３Ｂの背面側から係止部１４１を回転させることによって、表示用ユニット１５０と下部前面枠１０３Ｂとの係止が解除される。なお、係止部１４１は、左右に２組並んで設けられるものに限定されず、例えば１つだけ設けてもよい。
【０１１１】
下部前面枠１０３Ｂの配置面１４０には、表示用ユニット１５０と下部前面枠１０３Ｂとの位置合わせのための位置決め凹部１４３ａ（例えば、２つの係止部のそれぞれの外上側と内下側に計４つ形成されるなど）と位置決め凸部１４３ｂ（例えば、配置面１４０の中央下側に１つ形成されるなど）とが形成されている。なお、位置決め凹部１４３ａと位置決め凸部１４３ｂとの数や位置については実施形態の例に限定されるものではなく、こうした位置決め凹部１４３ａや位置決め凸部１４３ｂが形成されないものとしてもよい。
【０１１２】
また、下部前面枠１０３Ｂのデジタル表示器１８６と軸受部１３２ａ、１３２ｂとの間には、左右方向に沿って配置面１４０よりも前方に張り出した突起部１４５が形成されている（図１１及び図１３参照）。この突起部１４５は、表示用ユニット１５０が下部前面枠１０３Ｂの配置面１４０に係止された状態において、アーム１６０の上方を覆うように構成されている。下部前面枠１０３Ｂや表示用ユニット１５０は、遊技者が見下ろす位置に設けられており、このようにアーム１６０の上方を覆う突起部１４５が設けられることよって、アーム１６０の内部やアーム１６０の裏側が遊技者に視認されるのを抑制できるとともに、アーム１６０の内側やアーム１６０の裏側を通じてパチンコ遊技機１０１に対して不正な行為がなされてしまうのを抑制できる。
【０１１３】
表示用ユニット１５０は、下部前面枠１０３Ｂの配置面１４０に配置される。表示用ユニット１５０は、カードユニット７００の筐体に固定される取付部１５１と、下部前面枠１０３Ｂの配置面１４０中央に配置される表示部１５４と、取付部１５１と表示部１５４とに接続されて表示部１５４を保持するアーム１６０とを備える。なお、この実施形態では、アーム１６０の先端側（右側）に接続された表示部１５４は「関連機器」に相当する。
【０１１４】
なお、図１０〜１２に示すように、本実施形態において、遊技者が保有する携帯端末（不図示）と無線通信するためのリーダ・ライタ部１８７は、斜め上方を向いた表示体１５５の周囲を囲う、表示部１５４のカバー１５６に設けられている。リーダ・ライタ部１８７は、表示部１５４の中央に斜め上方に向けて設けられている。
【０１１５】
表示用ユニット１５０は、取付部１５１から延出したアーム１６０に、関連機器である表示部１５４が取り付けられている。そして、この表示部１５４に、機能部としてのリーダ・ライタ部１８７が取り付けられている。このようにして設けられたリーダ・ライタ部１８７は、パチンコ遊技機１０１（図９）の前方であり、パチンコ遊技機１０１の中央に寄せて（パチンコ遊技機１０１の両サイドから距離をとって）配置することができる。そのため、隣席との間に分煙ボード６００（図９）を設置したとしても、分煙ボード６００（図９）がリーダ・ライタ部１８７に近接することはない。そのため、携帯端末５５をかざすためのスペースが、リーダ・ライタ部１８７の周囲に十分に確保される。このことは、意匠上の観点から、右側、あるいは左側に膨出部（不図示）を有するパチンコ遊技機１０１に併設しても同様の効果を奏する。すなわち、これらの膨出部（不図示）とリーダ・ライタ部１８７との間に十分な距離を確保することができる。そのため、パチンコ遊技機１０１に形成された膨出部（不図示）は、携帯端末５５をリーダ・ライタ部１８７にかざす障害となることはない。
【０１１６】
図１４は、表示部１５４の構成要素を分解して表示用ユニット１５０を斜め前方から視た斜視図であり、図１５は、表示部１５４の構成要素を分解して表示用ユニット１５０を斜め後方から視た示す斜視図である。この実施形態では、表示部１５４は、表示画面が斜め上方に向けて露出するように表示体１５５が配置され、この表示体１５５に、下側から支持板１５７ａが取り付けられるとともに、上側、下側、後側から、カバー１５６、１５７、１５８が取り付けられて構成される。表示体１５５は、例えばＬＣＤ（液晶表示装置）やタッチパネルを用いることができる。表示体１５５は、例えば、デジタル表示器１８６や操作ボタン１８５に関連した情報を表示してもよいし、遊技盤１０２（図９）に形成された画像表示装置（不図示）と連動した演出画像などを表示してもよい。
【０１１７】
また、表示体１５５には、リーダ・ライタ部１８７が設けられている。また、表示体１５５を覆うカバー１５６には、リーダ・ライタ部１８７を露出させるための矩形状の開口１８７ａが形成されている。
【０１１８】
表示体１５５は、後方下向きに伸びる支持棒部１５５ａを有する。表示体１５５を下方から支持する支持板１５７ａは、前後方向の中央よりやや後方に支持棒部１５５ａの長手方向に対して略垂直な板面の斜面部１５７ｂを有し、この斜面部において支持棒部１５５ａとビス止めされることによって表示体１５５を斜めの向きに支持する。支持板１５７ａは、斜面部１５７ｂよりも前方の部位と表示体１５５を下方から覆うカバー１５７とが接続され、斜面部１５７ｂよりも後方の部位と表示体１５５を後方から覆うカバー１５８とが接続され、２つのカバー１５７、１５８を連結する。このため、表示体１５５から支持板１５７ａにかかる荷重は、カバー１５７とカバー１５８とに分散される。表示体１５５を後方から覆うカバー１５８には、下部前面枠１０３Ｂの係止部１４１に対応した係止孔１５８ａが形成されている。また、カバー１５８の背面には、下部前面枠１０３Ｂの位置決め凹部１４３ａと位置決め凸部１４３ｂとに対応した、位置決め凸部１５９ａと位置決め凹部１５９ｂとが形成されている。なお、表示用ユニット１５０は、下側から支持板１５７ａが取り付けられるとともに上側、下側、後側からカバー１５６、１５７、１５８で覆われて構成されるものに限らず、２つや４つ以上の部材からなるカバーで覆われて構成されるなどとしてもよい。
【０１１９】
表示部１５４は、アーム１６０を介して取付部１５１に接続され、取付部１５１がカードユニット７００（図９）に取り付けられることによって保持される。図１６は、アーム１６０のカバー１６４〜１６７を分解して表示用ユニット１５０を示す斜視図であり、図１７は、表示体１５５とアーム１６０との接続を説明するための図であり、図１８及び図１９は、構成要素ごとに分解してアーム１６０と取付部１５１とを示す分解図である。なお、図１６では、表示部１５４のカバー１５６〜１５８を省略して示しており、図１７では、表示部１５４のカバー１５６〜１５８とアーム１６０のカバー１６４〜１６７とを省略して示している。
【０１２０】
取付部１５１は、図１７及び図１８に示すように、支持板１５２の前面にカバー１５３が取り付けられて構成されている。支持板１５２は、剛性の高い材料で形成され、例えば金属板に対して打ち抜き加工や押し曲げ加工を施して形成することができる。支持板１５２には、支持板１５２とパチンコ遊技機１０１の筐体やカバー１５３との取り付けのための複数のビス孔や位置決め凸部、位置決め孔などが形成されており、支持板１５２の中央よりも上側には、アーム１６０（カバー１６４）の上下方向の長さ（幅）に対応した幅で切り欠かれた矩形状の切り欠き部１５２ａが形成されている。この切り欠き部１５２ａの下端と中央には、略略水平な板面を有する軸受け部１５２ｂが前方に突出して設けられており、この軸受け部１５２ｂのそれぞれには、上下方向に貫通する軸孔が形成されている。また、支持板１５２の前方に取り付けられるカバー１５３には、アーム１６０（アーム部材１６１及びカバー１６４）を配置するためのアーム配置部１５３ａが形成されている（図１７参照）。アーム配置部１５３ａには、アーム１６０（カバー１６４）の幅に対応した幅であけられた矩形状の貫通孔１５３ｂが形成されており、この貫通孔１５３ｂの表示部１５４側（右側）には、カバー１５３の前端面よりも後方に退避した（オフセットした）当接面１５３ｃが形成されている。取付部１５１は、支持板１５２が例えばビス止めなどによってカードユニット７００の筐体に固定されることにより、下部前面枠１０３Ｂとは独立してカードユニット７００に取り付けられる。
【０１２１】
アーム１６０は、複数の関節を有し、取付部１５１から前方に張り出して設けられる。アーム１６０は、図１７及び図１８に示すように、取付部１５１に接続されるアーム部材１６１と、アーム部材１６１に接続されるアーム部材１６２と、アーム部材１６２と表示体１５５とに接続されるアーム部材１６３とを有する。３つのアーム部材１６１〜１６３とのそれぞれは、剛性の高い材料で形成され、例えば金属板に対して打ち抜き加工や押し曲げ加工を施して形成することができる。アーム部材１６１は、略水平に延在して角が丸い長方形状の板面を有する上板部１６１ａと下板部１６１ｂとが、上下方向に延在する接続部１６１ｃによって接続された形状に形成されている。上板部１６１ａと下板部１６１ｂとには、上下方向に貫通する２つの貫通孔が形成されている。この上板部１６１ａと下板部１６１ｂとを貫通する貫通孔には、第１回動軸Ｒ１と第２回動軸Ｒ２とが挿通される。接続部１６１ｃは、背面側の中央において上板部１６１ａと下板部１６１ｂとを接続する。接続部１６１ｃには、カバー１６４を取り付けるための２つのビス孔や２つの位置決め孔が上下方向に並んで形成されている。アーム部材１６２は、アーム部材１６１と同様に、略水平に延在して角が丸い長方形状の板面を有する上板部１６２ａと下板部１６２ｂとが、上下方向に延在する接続部１６２ｃによって接続された形状に形成されている。上板部１６２ａと下板部１６２ｂとには、前方中央に切り欠き部１６２ｄが形成されており、上下方向に貫通する２つの貫通孔がそれぞれに形成されている。この上板部１６２ａと下板部１６２ｂとを貫通する貫通孔には、第２回動軸Ｒ２と第３回動軸Ｒ３とが挿通される。接続部１６２ｃは、背面側の中央において上板部１６２ａと下板部１６２ｂとを接続している。接続部１６２ｃには、カバー１６５を取り付けるための２つのビス孔や２つの位置決め孔が上下方向に並んで形成されている。アーム部材１６３は、アーム部材１６１やアーム部材１６２よりも水平方向に長い形状に形成されており、板面が鉛直な支持板部１６３ｃを有し、その上端と下端とが前方に曲げられた形状に形成されている。アーム部材１６３において、上端から前方に曲げられた上板部１６３ａと下端にから前方に曲げられた下板部１６３ｂとの根元側（左側）には、第３回動軸Ｒ３が挿通される貫通孔が形成されている。また、支持板部１６３ｃには、長手方向（左右方向）の中央に矩形状の貫通孔１６３ｄが形成されているとともに、カバー１６６、１６７を取り付けるためのビス孔や位置決め孔が形成されている。
【０１２２】
アーム部材１６１は、アーム部材１６１の貫通孔と取付部１５１の軸孔とに第１回動軸Ｒ１が挿通されて軸止めされることにより、取付部１５１に対して回動可能に支持される。また、アーム部材１６２は、アーム部材１６２の貫通孔とアーム部材１６１の貫通孔とに第２回動軸Ｒ２が挿通されて軸止めされることにより、アーム部材１６１に対して回動可能に支持される。そして、アーム部材１６３は、アーム部材１６３の貫通孔とアーム部材１６２の貫通孔とに第３回動軸Ｒ３が挿通されて軸止めされることにより、アーム部材１６２に対して回動可能に支持される。これにより、アーム１６０は、取付部１５１に対して、３つの関節（回動軸Ｒ１、Ｒ２、Ｒ３）で動作可能に構成される。
【０１２３】
アーム部材１６３の先端側（右側）には、図１９に示すように、表示体１５５が接続される。アーム部材１６３の先端（右端）には、上板部１６３ａから前方に延在する上方接続部１６４ａと、下板部１６３ｂから前方に延在する下方接続部１６４ｂと、支持板部１６３ｃから９０度折れ曲がって前方に延在する中央接続部１６４ｃとが形成されている。上方接続部１６４ａ及び下方接続部１６４ｂは板面が水平であり、中央接続部１６４ｃは板面が鉛直である。そして、上方接続部１６４ａ、下方接続部１６４ｂ、中央接続部１６４ｃのそれぞれは、先端が表示体１５５の傾斜に沿って曲げられてビス孔が形成され、表示体１５５とビス止めされる。このとき、表示体１５５は、前方から順に、中央接続部１６４ｃ、下方接続部１６４ｂ、上方接続部１６４ａに接続される。このように、表示体１５５は、アーム部材１６３における上板部１６３ａ、下板部１６３ｂ、支持板部１６３ｃからそれぞれに延在した上方接続部１６４ａ、下方接続部１６４ｂ、中央接続部１６４ｃの３箇所で保持されるので、様々な角度からの力に対する表示体１５５の取付安定性を高くすることができる。また、表示部１５４は、カバー１５６、１５７、１５８ではなく、表示体１５５に対してアーム部材１６３が直接に接続されるので、より確実に表示部１５４を保持することができる。なお、このようにアーム部材１６３における上板部１６３ａ、下板部１６３ｂ、支持板部１６３ｃからそれぞれに延在した上方接続部１６４ａ、下方接続部１６４ｂ、中央接続部１６４ｃの３箇所において、表示部１５４とアーム部材１６３とが接続されるものに限定されず、２箇所または１箇所においてアーム部材１６３と表示部１５４とが接続されてもよい。また、表示部１５４は、前方から中央接続部１６４ｃ、下方接続部１６４ｂ、上方接続部１６４ａの順に、表示部１５４と接続されるものに限定されず、例えば、前方から下方接続部１６４ｂ、中央接続部１６４ｃ、上方接続部１６４ａの順などで接続されてもよい。さらに、表示体１５５とアーム部材１６３とが直接に接続されるのに代えて、または加えて、表示体１５５のカバー１５６、１５７、１５８にアーム部材１６３が接続されることによって、表示部１５４がアーム１６０に保持されてもよい。
【０１２４】
図１６に示すように、アーム部材１６１、１６２のそれぞれには、前方からカバー１６４、１６５が取り付けられており、アーム部材１６３には、前方及び後方からカバー１６６、１６７が取り付けられている。カバー１６４〜１６７は、例えば樹脂を射出成形することによって形成することができる。アーム部材１６１の前方に取り付けられるカバー１６４は、アーム部材１６１の前方、上方、下方を覆う形状に形成されており、背面には、アーム部材１６１の背面側の空間を上下に仕切るリブ１６４ａが形成されている。そして、リブ１６４ａよりも下側には、アーム部材１６１と接続するためのビス孔や位置決め突起が形成されており、上側には、配線押え１６８を取り付けるためのビス孔が形成されている。また、リブ１６４ａには、配線押え１６８との位置決めをするための位置決め突起も形成されている。カバー１６４の上端は、根元側（取付部１５１側）と先端側（表示体１５５側）とで高さが異なる段差部１６４ｂが形成されている。一例として、この実施形態では、カバー１６４の段差部１６４ｂは、根元側が低く先端側が高い段差状に形成されている。アーム部材１６２の前方に取付けられるカバー１６５は、アーム部材１６１と同様に、アーム部材１６２の前方、上方、下方を覆う形状に形成されており、背面には、アーム部材１６２の背面側の空間を仕切るリブ１６５ａが形成されている。そして、リブ１６５ａよりも下側には、アーム部材１６２と接続するためのビス孔や位置決め突起が形成されており、上側には、配線押え１６９を取り付けるためのビス孔が形成されている。また、リブ１６５ａには、配線押え１６９との位置決めをするための位置決め突起も形成されている。さらに、カバー１６５の先端側（アーム部材１６３側）は、先端側に水平な２つのスリット１６５ｂが形成されている。
【０１２５】
アーム部材１６３の前方に取り付けられるカバー１６６には、カバー１６５のスリット１６５ｂに入り込むリブ１６６ａが形成されている。カバー１６６の背面には、アーム部材１６３を取り付けるための位置決め凸部が先端側（表示体１５５側）及び根元側（アーム部材１６２側）に形成されているとともに、カバー１６７を取り付けるためのビス孔や位置決め孔が形成されている。また、カバー１６６の中央には、カメラ１７０が前方に臨むための貫通孔１６６ｂが形成されており、背面の貫通孔１６６ｂ近傍には、カメラ１７０を取り付けるためのビス孔や位置決め突起が形成されている。カメラ１７０は、貫通孔１６６ｂを通じて前方を撮像することができ、例えば、遊技者がパチンコ遊技機１０１の前方に居るか否かの認識や、遊技者の特定の動作の認識などに用いることができる。アーム部材１６３の後方に取り付けられるカバー１６７は、図１６に示すように、カバー１６６とカバー１６７とを取り付けるためのビス孔が形成されている。カバー１６６とカバー１６７とは、後方からビスなどが挿入されることによってアーム部材１６３に取り付けられ（図１６参照）、表示用ユニット１５０が下部前面枠１０３Ｂの前面に係止された状態では、カバー１６７のビス孔が下部前面枠１０３Ｂにより覆われてカバー１６６、１６７の取り外しができないようになっている。また、カバー１６７の根元側（取付部１５１側）上方には、後方に凸となる係止部１６７ａが形成されている。係止部１６７ａは、下部前面枠１０３Ｂの凹部１３４に対応した形状に形成されており、下部前面枠１０３Ｂと表示用ユニット１５０とが係止された状態では、係止部１６７ａが下部前面枠１０３Ｂの凹部１３４に係止されるように構成されている。これにより、下部前面枠１０３Ｂと表示用ユニット１５０とが係止された状態では、下部前面枠１０３Ｂに対するカバー１６６、１６７の位置が固定される。そして、カメラ１７０は、カバー１６６の貫通孔１６６ｂから前方に臨むように取り付けられているので、下部前面枠１０３Ｂと表示用ユニット１５０とが係止された状態でのカメラ１７０の位置を一定にすることができる。なお、表示用ユニット１５０は、アーム１６０にカメラ１７０が設けられるものに限定されず、カメラ１７０が設けられないものとしてもよい。
【０１２６】
アーム部材１６１とアーム部材１６２とに取り付けられるカバー１６４、１６５には、背面側から配線押え１６８、１６９が取り付けられる。配線押え１６８、１６９のそれぞれは、絶縁性の部材（例えば樹脂部材や樹脂でコーティングされた部材など）で形成され、カバー１６４、１６５のリブ１６４ａ、１６５ａよりも上方の空間を背面から覆う。配線押え１６８、１６９のそれぞれには、カバー１６４、１６５に取り付けられるためのビス孔や位置決め孔が形成されている。こうした配線押え１６８、１６９によって、カバー１６４、１６５の内部上方には、絶縁性が確保された収容空間が形成され、表示部１５４、及びリーダ・ライタ部１８７への電気配線などを設けることができる。このように、リーダ・ライタ部１８７を表示部１５４に設けることにより、リーダ・ライタ部１８７の配線を、表示部１５４の配線と同じところを通すことができる。そのため、これら配線の共通の収容空間を設けておけばよいため、表示用ユニット１５０の構成が複雑になることを防ぐことができる。
【０１２７】
カバー１６４は、アーム部材１６１に取り付けられ、取付部１５１のアーム配置部１５３ａに配置される。また、カバー１６５は、アーム部材１６２に取り付けられ、カバー１６４の先端側（表示部１５４側）の内側に入り込むように配置される。ここで、アーム部材１６１のカバー１６４は、根元側が低く先端側が高い段差部１６４ｂが形成されており、この段差部１６４ｂの縁によってカバー１６４に対するカバー１６５の回動が案内されるとともに、カバー１６４、１６５の取り付け間違いを抑制することができる。カバー１６６、１６７は、アーム部材１６３に取り付けられ、カバー１６６のリブ１６６ａがカバー１６５のスリット１６５ｂに入り込むように配置される。これにより、カバー１６５に対するカバー１６６の回動が案内されるとともに、カバー１６５、１６６の取り付け間違いを抑制することができる。
【０１２８】
次に、下部前面枠１０３Ｂ及び表示用ユニット１５０の回動動作について説明する。図２０は、下部前面枠１０３Ｂと表示用ユニット１５０とが一体に回動するときの動作を説明するための図であり、図２１は、下部前面枠１０３Ｂと表示用ユニット１５０とが別々に回動するときの動作を説明するための図である。なお、図２０及び図２１では、パチンコ遊技機１０１の筐体（取付部１５１）は、同じ方向を向いており、パチンコ遊技機１０１の筐体（カードユニット７００）に対して下部前面枠１０３Ｂと表示用ユニット１５０とが回動している。
【０１２９】
表示用ユニット１５０と下部前面枠１０３Ｂとが係止部１４１によって係止された状態では、表示用ユニット１５０におけるアーム１６０の係止部１６７ａが下部前面枠１０３Ｂの凹部１３４に係止され、図２０（ａ）に示すように、下部前面枠１０３Ｂの回動軸Ｒとアーム１６０の第３回動軸Ｒ３とが同軸に位置する。これにより、図２０（ｂ）に示すように、表示用ユニット１５０と下部前面枠１０３Ｂとは、パチンコ遊技機１０１の筐体に対して、同じ回動軸回りに一体に回動することができる。したがって、係止部１４１によって下部前面枠１０３Ｂと表示用ユニット１５０とを係止した状態で、下部前面枠１０３Ｂと表示用ユニット１５０とを滑らかに回動させることができる。また、表示用ユニット１５０は、下部前面枠１０３Ｂとは独立して、取付部１５１がカードユニット７００の筐体に取付けられているので、図２１（ａ）に示すように、表示用ユニット１５０と下部前面枠１０３Ｂとの係止部１４１による係止を解除した状態で、表示用ユニット１５０をカードユニット７００に対して、下部前面枠１０３Ｂをパチンコ遊技機１０１の筐体に対して、それぞれ回動させることができる。図２０（ｂ）に示す状態において、下部前面枠１０３Ｂと表示用ユニット１５０との係止を解除するには、下部前面枠１０３Ｂの背面から係止部１４１を回転させて、係止部１４１のフランジ部１４２の向きを表示用ユニット１５０の係止孔１５８ａの向きに合わせればよい。また、下部前面枠１０３Ｂと表示用ユニット１５０とを係止させるには、表示用ユニット１５０を下部前面枠１０３Ｂの前面に重ね合わせて、係止部１４１を表示部１５４の係止孔１５８ａに挿入して回転させればよい（図２１（ｂ）参照）。これにより、表示用ユニット１５０の係止部１６７ａが下部前面枠１０３Ｂの凹部１３４に係止される。このときには、下部前面枠１０３Ｂの配置面１４０と表示用ユニット１５０の表示部１５４とには、位置決め凹部１４３ａ、１５９ｂ及び位置決め凸部１４３ｂ、１５９ａが形成されているので、これらの凹凸が合うように下部前面枠１０３Ｂと表示用ユニット１５０とを重ね合わせることで容易に位置合わせして係止することができる。
【０１３０】
以上説明したこの実施形態の表示用ユニット１５０では、取付部１５１から前方に張り出して設けられた複数の関節（回動軸Ｒ１〜Ｒ３）を有するアーム１６０と、アーム１６０に保持される表示部１５４とを有し、表示部１５４は、パチンコ遊技機１０１の下部前面枠１０３Ｂの前面に係止可能に形成され、アーム１６０は、表示部１５４が下部前面枠１０３Ｂの前面に係止された状態において、下部前面枠１０３Ｂの回動軸Ｒとアーム１６０の回動軸Ｒ３とが同軸に位置するので、パチンコ遊技機１０１の筐体（カードユニット７００）に対して、表示用ユニット１５０を下部前面枠１０３Ｂとは独立して回動させることができるとともに、表示用ユニット１５０と下部前面枠１０３Ｂとを係止させた状態で同一の回動軸周りに一体に回動させることができる。したがって、表示用ユニット１５０と下部前面枠１０３Ｂとの一方だけを容易に交換することができ、部品を効果的に再利用することができるとともに、それぞれのメンテナンス作業を容易に行うことができる。また、パチンコ遊技機１０１の一部を構成する下部前面枠１０３Ｂの前面において、表示用ユニット１５０が連結されてされているため、関連機器である表示部１５４は、パチンコ遊技機１０１に強固に固定される。そのため、表示部１５４に設けられた、機能部であるリーダ・ライタ部１８７も強固に固定されるため、携帯端末（不図示）を確実にリーダ・ライタ部１８７にかざすことができ、安定した無線通信を実現することができる。
【０１３１】
また、この実施形態では、下部前面枠１０３Ｂの軸受部１３２ａ、１３２ｂは、回動軸Ｒに沿って互いに離間するように形成されており、軸受部１３２ａと軸受部１３２ｂとの間のスペースに表示用ユニット１５０が配置され、下部前面枠１０３Ｂの離間した部位である退避部１３３に、回動軸Ｒを回転中心とする円弧曲面の凹部１３４が形成されて、この凹部１３４に、表示用ユニット１５０のアーム１６０の係止部１６７ａが配置されるので、表示用ユニット１５０の設計上の制約を低減することができる。また、表示用ユニット１５０におけるアーム１６０と取付部１５１とを接続する配線を容易に設けることができる。
【０１３２】
また、表示用ユニット１５０は、下部前面枠１０３Ｂの回動軸Ｒと同軸に位置する回動軸Ｒ３よりも、根元側（取付部１５１側）に２つの回動軸Ｒ１、Ｒ２を有するので、パチンコ遊技機１０１の筐体に対して取付部１５１と下部前面枠１０３Ｂとの取付け位置とにずれが生じていても、アーム１６０によってずれを吸収することができ、取付精度の制約を低減することができる。
【０１３３】
また、表示用ユニット１５０のアーム１６０のカバー１６４、１６５には、空間を上下に仕切るリブ１６４ａ、１６５ａが形成されて、リブ１６４ａ、１６５ａよりも上側の空間を覆う配線押え１６８、１６９が取り付けられるので、配線用の収容空間を確保することができる。また、カバー１６４、１６５や配線押え１６８、１６９を絶縁性の材料で形成することによって、例えばアーム部材１６１やアーム部材１６２が金属で形成されていても、収容空間の絶縁性を確保することができる。
【０１３４】
また、下部前面枠１０３Ｂの配置面１４０と表示用ユニット１５０の表示部１５４とには、位置決め凹部１４３ａ、１５９ｂ、位置決め凸部１４３ｂ、１５９ａが形成されているので、これらの凹凸が合うように下部前面枠１０３Ｂと表示用ユニット１５０とを重ね合わせることで、下部前面枠１０３Ｂと表示用ユニット１５０とを容易に位置合わせして係止することができる。
【０１３５】
なお、第２実施形態においては、表示用ユニット１５０はカードユニット７００に接続されていると説明した。しかしながら、パチンコ遊技機１０１がカードユニット７００を含む構成とし、表示ユニット１５０がパチンコ遊技機１０１の構成要素であるカードユニット７００に接続された構成であってもよい。
【０１３６】
この発明は、上記実施形態に限定されず、様々な変形及び応用が可能である。例えば、パチンコ遊技機１０１では、上記実施形態で示した全ての技術的特徴を備えるものでなくてもよく、上記実施形態で説明した一部の構成を備えたものであってもよい。例えば、上述した実施形態では、３つのアーム部材１６１〜１６３が接続されたアーム（以下、「第１アーム」という）によって表示部１５４が保持されるものとしたが、第１アームとは別に複数の関節を有する第２アームを備え、第１アームと第２アームとのそれぞれによって表示部１５４が保持されてもよい。この場合には、第１アームと第２アームとが干渉することなく、上下方向に位置を異ならせて配置されることにより（例えば上下に並べて配置されることにより）、特に上下方向の荷重に対する表示部１５４の取付安定性を向上できる。また、第１アームと第２アームとが干渉することなく、前後方向に位置を異ならせて配置されることにより（例えば前後に並べて配置されることにより）、特にねじれ荷重に対して、表示部１５４の取付安定性を向上させることができる。例えば、上記した実施形態では、アーム１６０のカバー１６４、１６５に対して配線押え１６８、１６９が取り付けられるものとしたが、配線押え１６８、１６９に代えて、第１アームと同様にアーム部材が配置されることにより、第１アームとは別に独立して表示部１５４を保持する第２アームが構成されてもよい。この場合には、カバー１６４〜１６７は、第１アームと第２アームとを収容することになる。また、第１アームとは独立して表示部１５４を保持する第２アームを備える場合に、表示部１５４が移動するときの第１アームの関節の動作範囲と第２アームの関節の動作範囲とが異なるように第１アームと第２アームとを構成し、関節の動作範囲が小さい方のアームに沿って配線が設けられるものとしてもよい。こうすれば、動作範囲が小さいアームに沿って配線が移動するので、表示部１５４の移動に伴う配線の移動を少なくすることができ、配線の撓みや断線を抑制することができる。また、関節の動作範囲が小さい方のアームに対してカバーを取り付け、カバーとアームとの間に配線の収容空間を形成してもよい。こうすれば、カバーが、関節の動作範囲が小さい方のアームに伴って移動するので、配線の収容空間を確保することができる。この場合には、カバーがアームの一部を構成してもよい。
【０１３７】
上記した実施形態の表示用ユニット１５０では、表示体１５５が３つの回動軸Ｒ１〜Ｒ３を有するアーム１６０によって保持されるものとしたが、表示体１５５は、複数の関節を有するアームによって保持されるものとすればよく、例えば、２つや４つ以上の回動軸を有するアームによって保持されてもよいし、回動軸に代えて、または加えてユニバーサルジョイントなどの関節を有するアームによって保持されてもよい。また、アーム１６０は、下部前面枠１０３Ｂの回動軸Ｒと同軸に位置する回動軸Ｒ３よりも、根元側（取付部１５１側）に２つの回動軸Ｒ１、Ｒ２を有するものとしたが、３つ以上の回動軸を有するなどとしてもよい。
【０１３８】
表示用ユニット１５０は、液晶表示画面を備えるものに限らず、モータなどによって動作する役物が設けられたり、単なる装飾のための部材が設けられるものであってもよい。
【０１３９】
また、上記した実施形態のパチンコ遊技機１０１は、筐体を遊技機設置島に固定することにより、複数台併設されてもよい。この場合には、下部前面枠１０３Ｂと表示用ユニット１５０との少なくとも一方が、遊技機設置島のフレームに取り付けられることにより、間接的にパチンコ遊技機１０１に対して回動可能に取り付けられてもよい。また、カード残高の管理、カードに記録された持ち球数情報の管理を行うカードユニットがパチンコ遊技機１０１に隣接して配置され、表示用ユニット１５０がカードユニットのフレームに対して取り付けられることにより、表示用ユニット１５０がパチンコ遊技機１０１に対して回動可能に取り付けられてもよい。この場合、カードユニットは、例えば、カード挿入口と、カード挿入口に挿入されたカードを読み取るためのカードリーダライタと、パチンコ遊技機１０１とは独立した制御部等を備え、パチンコ遊技機１０１と通信可能に構成される。そして、パチンコ遊技機１０１と通信することにより、パチンコ遊技機１０１における遊技に応じて持ち球数を管理する。また、カードユニットやパチンコ遊技機１０１の鍵認証を行うサーバを更に備え、サーバによって有効な鍵認証がなされた場合にカードユニットとパチンコ遊技機１０１との通信がなされるように構成されてもよい。
【０１４０】
その他にも、パチンコ遊技機１０１の装置構成、各種の演出動作などは、本発明の趣旨を逸脱しない範囲で、任意に変更及び修正が可能である。加えて、本発明の遊技機は、遊技球を封入し入賞球の検出に応答して得点を付与する封入式遊技機に限定されるものではない。特に、取付部１５１とアーム１６０の構成については、上述した入賞球の検出に応答して所定数の賞球を払い出す払出式遊技機にも適用することができる。また、例えば、スロットマシンやゲーム機などの扉体の前面に上述の表示用ユニット１５０が設けられるなど、他の遊技機に本発明を適用してもよい。
【０１４１】
以上説明したように、本実施形態に係る表示用ユニット１５０では、パチンコ遊技機１の前方に突出するアーム１６０に設けられた関連機器である表示部１５４に、機能部であるリーダ・ライタ部１８７が設けられている。すなわち、リーダ・ライタ部１８７は、パチンコ遊技機１０１（図９）の中央に寄せて配置される。これにより、携帯端末５５（図６（ａ））をリーダ・ライタ部１８７にかざすためのスペースを、リーダ・ライタ部１８７の周辺に十分に確保することができるため、リーダ・ライタ部１８７周辺のスペース不足によって、リーダ・ライタ部１８７がその機能を発揮できないという状況を防ぐことができる。
【０１４２】
また、携帯端末５５に搭載された記録媒体（不図示）をリーダ・ライタ部１８７に近づけることができるため、この記録媒体を確実に読み取ることができる。これらのことは、意匠上の観点から、右側、あるいは左側に膨出部（不図示）を有するパチンコ遊技機１８７に、本実施形態に係る表示用ユニット１５０を併設しても同様の効果を享受することができる。
【０１４３】
また、機能部であるリーダ・ライタ部１８７を、関連機器である表示部１５４に設けることにより、リーダ・ライタ部１８７の配線を、表示部１５４の配線と同じところに通すことができる。そのため、これら配線の共通の収容空間を設けておけばよく、表示用ユニット１５０が複雑な構成となることを防ぐことができる。
【０１４４】
また、パチンコ遊技機１０１の一部を構成する下部前面枠１０３Ｂの前面において、表示用ユニット１５０が係止部（係止部材）１４１（図１３）等により連結されてされているため、関連機器である表示部１５４は、パチンコ遊技機１０１の前面に強固に固定される。これにより、表示用ユニット１５０に設けられた機能部であるリーダ・ライタ部１８７も強固に固定されるため、携帯端末（不図示）との安定した無線通信を実現することができ、リーダ・ライタ部１８７の機能を確実に発揮させることができる。
【０１４５】
また、第１アームとは独立して表示部１５４を保持する第２アームを備え、表示部１５４が移動するときの第１アームの関節の動作範囲と第２アームの関節の動作範囲とが異なるように第１アームと第２アームとを構成し、関節の動作範囲が小さい方のアームに沿って配線が設けられるものとしてもよい。これにより、動作範囲が小さいアームに沿って表示部１５４の配線が移動するため、表示部１５４の移動に伴う配線の移動を少なくすることができ、配線の撓みや断線を抑制することができる。
【０１４６】
（第１変形例）
次に、第２実施形態に係る遊技用装置の第１変形例について説明する。図２２（ａ）は、第１変形例に係る下部前面枠１０３Ｃ及び表示用ユニット１５０Ａの斜視図である。本変形例に係る表示用ユニット１５０Ａを説明するに際し、上述の第２実施形態に係る表示用ユニット１５０と異なる構成を中心に説明するとともに、同一の構成については同一の符号を付すものとする。
【０１４７】
本変形例に係る表示用ユニット１５０Ａにおいては、上述の表示用ユニット１５０（図１０）でリーダ・ライタ部１８７が設けられていた表示部１５４の箇所に、操作ボタン１８５及びデジタル表示器１８６が設けられている。また、カメラ１７０（図１０）が設けられていたアーム１６０の箇所に、リーダ・ライタ部１８７が設けられている。
【０１４８】
このようにして設けられた操作ボタン１８５及びデジタル表示器１８６は、パチンコ遊技機１０１の前方に延出したアーム１６０に取り付けられた表示部１５４に設けられる。そのため、操作ボタン１８５及びデジタル表示器１８６を、パチンコ遊技機１０１の中央に寄せて配置することができる。また、リーダ・ライタ部１８７も、パチンコ遊技機１０１の前方に延出したアームに設けられているため、同様に、パチンコ遊技機１０１の中央に寄せて配置することができる。これにより、本変形例に係る表示用ユニット１５０Ａを用いることで、上述の実施形態に係る表示用ユニット１５０と同様、それぞれの機能部の機能を発揮しうる十分なスペースを、その周囲に確保することができる。
【０１４９】
このように、本変形例に係る表示用ユニット１５０Ａには、操作ボタン１８５、デジタル表示器１８６、及びリーダ・ライタ部１８７を設けているが、それぞれの配線を、表示部１５４の配線と同じところに通すことができる。そのため、表示用ユニット１５０Ａに、これら配線に共通の収容空間を設けておけばよいため、表示用ユニット１５０Ａの構成が複雑になることを防ぐことができる。
【０１５０】
（第２変形例）
次に、上述の第２実施形態に係る表示用ユニット１５０の第２変形例について説明する。図２２（ｂ）は、第２変形例に係る下部前面枠１０３Ｄ及び表示用ユニット１５０Ｂの斜視図である。本変形例に係る表示用ユニット１５０Ｂを説明するに際し、上述の第２実施形態に係る表示用ユニット１５０と異なる構成を中心に説明するとともに、同一の構成については同一の符号を付すものとする。
【０１５１】
本変形例に係る表示用ユニット１５０Ｂにおいては、操作ボタン１８５、デジタル表示器１８６、及びリーダ・ライタ部１８７の配置は、第２実施形態に係る表示用ユニット１５０（図１０）と同様である。一方、本変形例にかかる表示用ユニット１５０Ｂにおいては、カメラ１７０（図１０）が設けられていたアーム１６０の箇所に、ドリンクホルダ１８８が設けられているとともに、表示部１５４にブックホルダ１８９が形成されている。
【０１５２】
ドリンクホルダ１８８は、飲料容器等を載置するための載置板１８８ａと、飲料容器等の側周面を保持する保持フレーム１８８ｂとから構成されている。遊技者は、飲料容器をドリンクホルダ１８８に保持させたまま、パチンコ遊技機１０１（図９）を遊技することができる。なお、ドリンクホルダ１８８は、パチンコ遊技機１０１の前方にまで延出するアーム１６０に設けている。そのため、ドリンクホルダ１８８を、パチンコ遊技機１０１の中央に寄せた位置に配置することができる。これにより、隣席との間に分煙ボード６００（図９）を設置したり、右側あるいは左側に膨出部を有するパチンコ遊技機１０１に併設したりしたとしても、飲料用容器をドリンクホルダ１８８に置いたり、取り出したりするためのスペースが十分に確保される。
【０１５３】
また、ブックホルダ１８９は、パチンコ遊技機１０１に関する遊技情報や遊技店に関する情報等が掲載された冊子等を収納する。ブックホルダ１８９は、水平方向に沿って表示部１５４に形成された凹部である。このように、表示部１５４にブックホルダ１８９を設けることにより、ユーティリティーユニット３００に設けられたブックホルダ３０３（図９）を省略することができる。これにより、ユーティリティーユニット３００の構成を簡略化することが可能である。また、図２２（ｂ）に示すように、ブックホルダ１８９は、パチンコ遊技機１０１の中央に位置するため、隣席との間に分煙ボード６００（図９）を設置したり、右側あるいは左側に膨出部を有するパチンコ遊技機１０１に併設したりしたとしても、ブックホルダ１８９に冊子等を収納するためのスペースを十分に確保することができる。
【０１５４】
本変形例に係る表示用ユニット１５０の構成についてまとめると、次の通りである。本変形例に係る表示用ユニット１５０Ｂにおいては、機能部としてのドリンクホルダ１８８が、表示用ユニット１５０のアーム１６０に取り付けられている。さらに、機能部としてのブックホルダ１８９が、関連機器である表示部１５４に設けられている。
【０１５５】
本発明は、上記の実施形態に係る遊技用装置に限定されるものではなく、本発明の趣旨を逸脱しない範囲で、任意に変更及び修正が可能である。上述の実施形態において、玉受け皿ユニット４（図１）、及び表示用ユニット１５０（図９）は、アームを介してカードユニット４００、７００に取り付けられていると説明した。その他の形態として、玉受け皿ユニット４（図１）及び表示用ユニット１５０（図９）を、カードユニット４００、７００に隣接するユーティリティーユニット３００（図１、図９）に接続してもよいし、パチンコ遊技機１、１０１（図１、図９）に直接取り付けてもよい。
【０１５６】
また、ドリンクホルダ５６がアーム部２５０に形成された遊技用装置（図８（ａ））、及びドリンクホルダ１８８がアーム１６０に形成された遊技用装置（図２２（ｂ））について説明した。本発明はこのような形態に限定されるものではなく、例えば、ドリンクホルダを、関連機器である玉受け皿部３５（図８（ａ））の前面に形成するようにしてもよいし、関連機器である表示部１５４（図２２（ａ））に形成するようにしてもよい。ドリンクホルダを、これらの箇所に形成したとしても、ドリンクホルダの周囲に十分なスペースを確保することが可能である。
【０１５７】
加えて、本発明の遊技機として、パチンコ遊技機を例に説明したが、例えば、スロットマシンやゲーム機などの扉体の前面に表示用ユニット１５０が設けるなど、他の遊技機に本発明を適用してもよい。ここで、スロットマシンとは、例えば、所定の遊技媒体を１ゲームに対して所定数の賭数を設定した後、遊技者がスタートレバーを操作することにより可変表示装置による識別情報の可変表示を開始し、遊技者が各可変表示装置に対応して設けられた停止ボタンを操作することにより、その操作タイミングから予め定められた最大遅延時間の範囲内で識別情報の可変表示を停止し、全ての可変表示装置の可変表示を停止したときに導出表示された表示結果に従って入賞が発生し、入賞に応じて予め定められた所定の遊技媒体が払い出され、特定入賞が発生した場合に、遊技状態として所定の遊技価値を遊技者に与える状態にするように構成した遊技機である。
【符号の説明】
【０１５８】
１、１０１          パチンコ遊技機
４、４ａ、４ｂ      玉受け皿ユニット
７                  サブ皿部
３５                  玉受け皿部
５０、１８７          リーダ・ライタ部
５１、１８９、３０３  ブックホルダ
５５                  携帯端末
５６、１８８、６２０  ドリンクホルダ
６０、１８５          操作ボタン
７０、１８６          デジタル表示器
１５０、１５０Ａ、１５０Ｂ  表示用ユニット
１５４                  表示部
１６０                  アーム
２５０                  アーム部
２６０                  関連機器
３００                  ユーティリティーユニット
４００                  カードユニット
６００                  分煙ボード    
【図１】
2015107206.tif 000003
【図２】
2015107206.tif 000004
【図３】
2015107206.tif 000005
【図４】
2015107206.tif 000006
【図５】
2015107206.tif 000007
【図６】
2015107206.tif 000008
【図７】
2015107206.tif 000009
【図８】
2015107206.tif 000010
【図９】
2015107206.tif 000011
【図１０】
2015107206.tif 000012
【図１１】
2015107206.tif 000013
【図１２】
2015107206.tif 000014
【図１３】
2015107206.tif 000015
【図１４】
2015107206.tif 000016
【図１５】
2015107206.tif 000017
【図１６】
2015107206.tif 000018
【図１７】
2015107206.tif 000019
【図１８】
2015107206.tif 000020
【図１９】
2015107206.tif 000021
【図２０】
2015107206.tif 000022
【図２１】
2015107206.tif 000023
【図２２】
2015107206.tif 000024